(57)【要約】【課題】人の流れを妨げることなく、特定の場所への不正な入場の防止を図る。【解決手段】イベント会場１の入場口及び退場口には、それぞれ入場ゲート２及び退場ゲート５が設置されている。携帯電話機８は、赤外線送信可能な個体番号を有し、二次元バーコードからなる入場チケットを表示する。イベント会場１への入場時には、入場ゲート２に携帯電話機８から個体番号を赤外線送信すると共に、二次元バーコードの入場チケットを読み取らせる。サーバ装置６は、入場ゲート２からの個体番号を読み取った入場チケットに対応付けて記憶する。イベント会場１からの退場時には、退場ゲート５に携帯電話機８から個体番号を赤外線送信する。サーバ装置６は、退場ゲート５からの個体番号に対応する入場チケットに、他の個体番号も対応付けて記憶されていると、退場ゲート５を開放させない。再入場ゲート４及び一時退場ゲート３においても同様のチェックが行われる。【選択図】    図１
2005275436.tif 000002
【特許請求の範囲】
【請求項１】
利用者が携帯可能な携帯媒体に記憶された利用者の識別情報と特定の場所へ入場するための入場チケットとを、前記特定の場所の入場口に設置された入力装置から入力する入場口入力手段と、
前記入場チケット毎に、前記入場口入力手段から入力された利用者の識別情報を対応付けて登録する入場チケット登録手段と、
前記携帯媒体に記憶された利用者の識別情報を、前記特定の場所の退場口に設置された入力装置から入力する退場口入力手段と、
前記退場口入力手段から入力された利用者の識別情報が前記入場チケット登録手段に登録されているかどうか、さらに該利用者の識別情報に対応付けて前記入場チケット登録手段に登録されている入場チケットに、他の利用者の識別情報も対応付けて登録されているかどうかを判定する第１の入場登録判定手段と、
前記第１の入場登録判定手段が利用者の識別情報が登録されており、かつ他の利用者の識別情報が対応付けて登録されていないと判定した場合に、前記特定の場所の退場口に設置された退場ゲートを開放状態とさせる退場ゲート開放手段と
を備えることを特徴とする入退場管理システム。
【請求項２】
前記入場チケット登録手段は、前記特定の場所への入場チケットとして配布した入場チケットを予め登録しており、
前記入場口入力手段から入力された入場チケットが、前記入場チケット登録手段に登録されているかどうかを判定する入場チケット判定手段と、
前記入場チケット判定手段が入場チケットが登録されていると判定した場合に、前記特定の場所の入場口に設置された入場ゲートを開放状態とさせる入場ゲート開放手段とをさらに備える
ことを特徴とする請求項１に記載の入退場管理システム。
【請求項３】
前記入場チケット登録手段は、個別の入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の入場チケットを一意に識別可能な個別情報を登録しており、
前記入場口入力手段から入力された入場チケットに対応付けられる固有の数値を前記複数の演算式でそれぞれ演算し、各演算式の演算結果に対応する各テーブルの記憶位置の全てに、同一の個別情報が登録されているかどうかを判定する入場チケット判定手段と、
前記入場チケット判定手段が同一の個別情報が登録されていると判定した場合に、前記特定の場所の入場口に設置された入場ゲートを開放状態とさせる入場ゲート開放手段とをさらに備える
ことを特徴とする請求項１に記載の入退場管理システム。
【請求項４】
前記携帯媒体に記憶された利用者の識別情報を、前記特定の場所の一時退場口に設置された入力装置から入力する一時退場口入力手段と、
前記一時退場口入力手段からの利用者の識別情報の入力に応答して、前記特定の場所へ再入場するための再入場チケットを、前記携帯媒体に記憶させるべく発行する再入場チケット発行手段と、
前記携帯媒体に記憶された利用者の識別情報と再入場チケットとを、前記特定の場所の再入場口に設置された入力装置から入力する再入場口入力手段と、
前記再入場チケット毎に、前記再入場口入力手段から入力された利用者の識別情報を対応付けて登録する再入場チケット登録手段と、
前記退場口入力手段から入力された利用者の識別情報に対応付けて前記再入場チケット登録手段に登録されている再入場チケットに、他の利用者の識別情報も対応付けて登録されているかどうかを判定する再入場登録判定手段とをさらに備え、
前記退場ゲート開放手段は、さらに前記再入場登録判定手段が他の利用者の識別情報が対応付けて登録されていないと判定した場合に、前記退場ゲートを開放状態とさせる
ことを特徴とする請求項１または２に記載の入退場管理システム。
【請求項５】
前記再入場チケット登録手段は、前記再入場チケット発行手段が発行した再入場チケットを予め登録しており、
前記再入場口入力手段から入力された再入場チケットが、前記再入場チケット登録手段に登録されているかどうかを判定する再入場チケット判定手段と、
前記再入場チケット判定手段が再入場チケットが登録されていると判定した場合に、前記特定の場所の再入場口に設置された再入場ゲートを開放状態とさせる再入場ゲート開放手段とをさらに備える
ことを特徴とする請求項４に記載の入退場管理システム。
【請求項６】
前記再入場チケット登録手段は、個別の再入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の再入場チケットを一意に識別可能な個別情報を登録しており、
前記再入場口入力手段から入力された再入場チケットに対応付けられる固有の数値を前記複数の演算式でそれぞれ演算し、各演算式の演算結果に対応する各テーブルの記憶位置の全てに、同一の個別情報が登録されているかどうかを判定する再入場チケット判定手段と、
前記再入場チケット判定手段が同一の個別情報が登録されていると判定した場合に、前記特定の場所の再入場口に設置された再入場ゲートを開放状態とさせる再入場ゲート開放手段とをさらに備える
ことを特徴とする請求項４に記載の入退場管理システム。
【請求項７】
前記入場チケットと再入場チケットとの対応付けを登録した入場／再入場登録手段をさらに備え、
前記再入場口入力手段は、さらに前記入場チケットを入力し、
前記再入場登録判定手段は、前記入場／再入場登録手段を参照し、前記入場チケットと前記再入場チケットとの対応付けが正しいかどうかを判定し、
前記再入場ゲート開放手段は、さらに前記再入場登録判定手段が対応付けが正しいと判定した場合に、前記再入場ゲートを開放状態とさせる
ことを特徴とする請求項４乃至６のいずれか１項に記載の入退場管理システム。
【請求項８】
前記再入場チケットには、有効期限が付されており、
前記再入場チケット判定手段は、さらに前記再入場口入力手段から入力された再入場チケットが有効期限内のものであるかどうかを判定し、
前記再入場ゲート開放手段は、前記再入場チケット判定手段が有効期限内のものであると判定した場合に、前記再入場ゲートを開放状態とさせる
ことを特徴とする請求項７に記載の入退場管理システム。
【請求項９】
前記一時退場口入力手段から入力された利用者の識別情報が前記入場チケット登録手段に登録されているかどうか、さらに該利用者の識別情報に対応付けて前記入場チケット登録手段に登録されている入場チケットに他の利用者の識別情報も対応付けて登録されているかどうかを判定する第２の入場登録判定手段と、
前記第２の入場登録判定手段が利用者の識別情報が登録されており、かつ他の利用者の識別情報が対応付けて登録されていないと判定した場合に、前記特定の場所の一時退場口に設置された一時退場ゲートを開放状態とさせる一時退場ゲート開放手段とをさらに備える
ことを特徴とする請求項５乃至８のいずれか１項に記載の入退場管理システム。
【請求項１０】
前記携帯媒体は、前記入場チケットの発行を受けるための仮入場チケットを、前記利用者の識別情報と共に記憶しており、
前記入場チケットを発行させるべく配布した仮入場チケット毎に、対応する入場チケットの配布先となる携帯媒体に関する情報を登録した仮入場チケット登録手段と、
前記携帯媒体に記憶された仮入場チケットを、前記入場口よりも前の前記特定の場所への入場経路に設置された入力装置から入力する入場前入力手段と、
前記入場前入力手段からの仮入場チケットの入力に応答して、前記入場チケットを発行し、前記仮入場チケット登録手段に前記配布先として登録された携帯媒体に記憶させるべく配布する入場チケット発行手段とをさらに備える
ことを特徴とする請求項１乃至９のいずれか１項に記載の入退場管理システム。
【請求項１１】
前記仮入場チケット登録手段は、個別の仮入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の仮入場チケットを一意に識別可能な個別情報を登録しており、
前記入場チケット発行手段は、前記入場前入力手段から入力された仮入場チケットに対応付けられる固有の数値を前記複数の演算式でそれぞれ演算し、各演算式の演算結果に対応する各テーブルの記憶位置の全てに、同一の個別情報が登録されているかどうかを判定し、同一の個別情報が登録されていると判定した場合に、前記入場チケットを発行する
ことを特徴とする請求項１０に記載の入退場管理システム。
【請求項１２】
前記入場チケットと仮入場チケットとの対応付けを登録した入場／仮入場登録手段をさらに備え、
前記入場口入力手段は、さらに前記仮入場チケットを入力し、
前記再入場登録判定手段は、前記入場／仮入場登録手段を参照し、前記入場チケットと前記仮入場チケットとの対応付けが正しいかどうかを判定し、
前記入場ゲート開放手段は、さらに前記入場登録判定手段が対応付けが正しいと判定した場合に、前記入場ゲートを開放状態とさせる
ことを特徴とする請求項１０に記載の入退場管理システム。
【請求項１３】
前記携帯媒体に記憶されたチケットは、二次元バーコードとして前記携帯媒体が備える表示装置に表示され、各入力装置が備える読み取り装置に読み取られることを特徴とする請求項１乃至１１のいずれか１項に記載の入退場管理システム。
【請求項１４】
前記携帯媒体に記憶された利用者の識別情報は、前記携帯媒体から無線信号で送信されて各入力装置が備える受信装置に受信される
ことを特徴とする請求項１乃至１２のいずれか１項に記載の入退場管理システム。
【請求項１５】
前記携帯媒体は、各入力装置から発信されている信号に自動的に応答して、記憶している利用者の識別情報を無線送信する
ことを特徴とする請求項１３に記載の入退場管理システム。
【請求項１６】
利用者の識別情報の入力に従って、前記特定の場所にいる者の数をカウントするカウント手段をさらに備える
ことを特徴とする請求項１乃至１４のいずれか１項に記載の入退場管理システム。
【請求項１７】
利用者が携帯可能な携帯媒体に記憶され、特定の場所へ入場するための入場チケットの発行を受けるための仮入場チケットを、前記特定の場所の入場口よりも前の入場経路に設置された入力装置から入力する入場前入力手段と、
前記入場チケットを発行させるべく配布した仮入場チケット毎に、対応する入場チケットの配布先となる携帯媒体に関する情報を仮入場チケット登録手段と、
前記入場前入力手段からの仮入場チケットの入力に応答して、前記入場チケットを発行し、前記仮入場チケット登録手段に前記配布先として登録された携帯媒体に記憶させるべく配布する入場チケット発行手段と
を備えることを特徴とする入退場管理システム。
【請求項１８】
前記仮入場チケット登録手段は、個別の仮入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の仮入場チケットを一意に識別可能な個別情報を登録しており、
前記入場チケット発行手段は、前記入場前入力手段から入力された仮入場チケットに対応付けられる固有の数値を前記複数の演算式でそれぞれ演算し、各演算式の演算結果に対応する各テーブルの記憶位置の全てに、同一の個別情報が登録されているかどうかを判定し、同一の個別情報が登録されていると判定した場合に、前記入場チケットを発行する
ことを特徴とする請求項１７に記載の入退場管理システム。
【請求項１９】
利用者が携帯可能な携帯媒体に記憶された利用者の識別情報と特定の場所へ入場するための入場チケットとを、前記特定の場所の入場口に設置された入力装置から入力するステップと、
前記入場チケット毎に、前記入場口に設置された入力装置から入力された利用者の識別情報を対応付けて第１の登録手段に登録するステップと、
前記携帯媒体に記憶された利用者の識別情報を、前記特定の場所の退場口に設置された入力装置から入力するステップと、
前記退場口に設置された入力装置から入力された利用者の識別情報が前記第１の登録手段に登録されているかどうか、さらに該利用者の識別情報に対応付けて前記第１の登録手段に登録されている入場チケットに、他の利用者の識別情報も対応付けて登録されているかどうかを判定するステップと、
前記第１の登録手段に利用者の識別情報が登録されており、かつ他の利用者の識別情報が対応付けて登録されていないと判定した場合に、前記特定の場所の退場口に設置された退場ゲートを開放状態とさせるステップと
を含むことを特徴とする入退場管理方法。
【請求項２０】
前記携帯媒体に記憶された利用者の識別情報を、前記特定の場所の一時退場口に設置された入力装置から入力するステップと、
前記一時退場口に設置された入力装置からの利用者の識別情報の入力に応答して、前記特定の場所へ再入場するための再入場チケットを、前記携帯媒体に記憶させるべく発行するステップと、
前記携帯媒体に記憶された利用者の識別情報と再入場チケットとを、前記特定の場所の再入場口に設置された入力装置から入力するステップと、
前記再入場チケット毎に、前記再入場口に設置された入力装置から入力された利用者の識別情報を対応付けて第２の登録手段に登録するステップと、
前記退場口に設置された入力装置から入力された利用者の識別情報に対応付けて前記第２の登録手段に登録されている再入場チケットに、他の利用者の識別情報も対応付けて登録されているかどうかを判定するステップとをさらに含み、
前記退場ゲートを開放状態とさせるステップでは、さらに前記第２の登録手段に他の利用者の識別情報が対応付けて登録されていないと判定した場合に、前記退場ゲートを開放状態とさせる
ことを特徴とする請求項１９に記載の入退場管理方法。
【請求項２１】
前記携帯媒体は、前記入場チケットの発行を受けるための仮入場チケットを、前記利用者の識別情報と共に記憶しており、
前記入場チケットを発行させるべく配布した仮入場チケット毎に、対応する入場チケットの配布先となる携帯媒体に関する情報と共に第３の登録手段に登録させるステップと、
前記携帯媒体に記憶された仮入場チケットを、前記入場口よりも前の前記特定の場所への入場経路に設置された入力装置から入力するステップと、
前記入場経路に設置された入力装置からの仮入場チケットの入力に応答して、前記入場チケットを発行し、前記第３の登録手段に前記配布先として登録された携帯媒体に記憶させるべく配布するステップとをさらに含む
ことを特徴とする請求項１９または２０に記載の入退場管理方法。
【請求項２２】
利用者が携帯可能な携帯媒体に記憶された利用者の識別情報と特定の場所へ入場するための入場チケットとを、前記特定の場所の入場口に設置された入力装置から入力する入場口入力手段、
前記入場チケット毎に、前記入場口入力手段から入力された利用者の識別情報を対応付けて登録する入場チケット登録手段、
前記携帯媒体に記憶された利用者の識別情報を、前記特定の場所の退場口に設置された入力装置から入力する退場口入力手段、
前記退場口入力手段から入力された利用者の識別情報が前記入場チケット登録手段に登録されているかどうか、さらに該利用者の識別情報に対応付けて前記入場チケット登録手段に登録されている入場チケットに、他の利用者の識別情報も対応付けて登録されているかどうかを判定する第１の入場登録判定手段、及び、
前記第１の入場登録判定手段が利用者の識別情報が登録されており、かつ他の利用者の識別情報が対応付けて登録されていないと判定した場合に、前記特定の場所の退場口に設置された退場ゲートを開放状態とさせる退場ゲート開放手段
としてコンピュータ装置を機能させるためのプログラム。
【請求項２３】
前記携帯媒体に記憶された利用者の識別情報を、前記特定の場所の一時退場口に設置された入力装置から入力する一時退場口入力手段、
前記一時退場口入力手段からの利用者の識別情報の入力に応答して、前記特定の場所へ再入場するための再入場チケットを、前記携帯媒体に記憶させるべく発行する再入場チケット発行手段、
前記携帯媒体に記憶された利用者の識別情報と再入場チケットとを、前記特定の場所の再入場口に設置された入力装置から入力する再入場口入力手段と、
前記再入場チケット毎に、前記再入場口入力手段から入力された利用者の識別情報を対応付けて登録する再入場チケット登録手段、及び、
前記退場口入力手段から入力された利用者の識別情報に対応付けて前記再入場チケット登録手段に登録されている再入場チケットに、他の利用者の識別情報も対応付けて登録されているかどうかを判定する再入場登録判定手段としてさらに前記コンピュータ装置を機能させ、
前記退場ゲート開放手段は、さらに前記再入場登録判定手段が他の利用者の識別情報が対応付けて登録されていないと判定した場合に、前記退場ゲートを開放状態とさせる
ことを特徴とする請求項２２に記載のプログラム。
【請求項２４】
前記携帯媒体は、前記入場チケットの発行を受けるための仮入場チケットを、前記利用者の識別情報と共に記憶しており、
前記入場チケットを発行させるべく配布した仮入場チケット毎に、対応する入場チケットの配布先となる携帯媒体に関する情報を登録した仮入場チケット登録手段、
前記携帯媒体に記憶された仮入場チケットを、前記入場口よりも前の前記特定の場所への入場経路に設置された入力装置から入力する入場前入力手段、及び、
前記入場前入力手段からの仮入場チケットの入力に応答して、前記入場チケットを発行し、前記仮入場チケット登録手段に前記配布先として登録された携帯媒体に記憶させるべく配布する入場チケット発行手段としてさらに前記コンピュータ装置を機能させる
ことを特徴とする請求項２２または２３に記載のプログラム。
【発明の詳細な説明】
【０００１】
【発明の属する技術分野】
本発明は、イベント会場などの特定の場所への入退場を管理するための入退場管理システム等に関する。
【０００２】
【従来の技術】
コンサートなどのイベント会場に入場するためには、通常、入場チケットが必要となる。旧来の入場チケットは、紙媒体によって発行されるのが普通であったが、その印刷や販売などにコストがかかってしまうものとなっていた。そこで、近年の携帯電話機の普及やその技術の急速な進歩に伴って、携帯電話機の表示装置に表示される二次元バーコードを、旧来の紙媒体で発行されていた入場チケットに代えて適用する技術も開発されている。
【０００３】
二次元バーコードの入場チケットであれば、紙媒体への印刷が必要なく、例えば座席番号の違いなどのように少しずつ違った特徴を有しているものを低コストで大量に発行することができる。また、通信回線を介してオンライン送信できるため、購入者に入場チケットを届けるために人手を必要とせず、販売コストも低く抑えることが可能となる。
【０００４】
【発明が解決しようとする課題】
しかしながら、携帯電話機の表示装置に表示される二次元バーコードの入場チケットは、デジタルデータで販売されるものである点で、アナログデータである紙媒体の入場チケットとは大きく異なる。アナログデータでは真正品と完全に一致したものを複製することは事実上不可能であるが、デジタルデータの入場チケットは、真正品と完全に一致したものを容易に複製することができてしまう。このため、不正に複製した二次元バーコードの入場チケットを用いて、イベント会場へ不正に入場しようとする者が出現するという問題が生じてしまう。
【０００５】
また、入場チケットをどのような形態のもので販売しているかどうかに関わらず、従来のイベント会場においては、入場しようとする者が正規の入場チケットを有しているかどうかをチェックしていたが、退場時には何らのチェックもなされないのが普通であった。これでは、一旦不正に入場を果たしてしまった者を取り締まることは、完全に不可能である。また、イベント会場から一時退場した者を再入場させるためになされていたのは、スタンプの押印などの簡単な方法であり、ここで不正な入場が行われる危険も大きかった。
【０００６】
従って、イベント会場への入口及び出口で、さらには一時退場−再入場のための専用の出入口を設けている場合にはそこでも、入退場する者全てについて厳重なチェックを行えば、イベント会場への不正な入場というのはかなりの程度で避けることができる。しかし、このチェックのためのコストが掛かりすぎて、入場チケットの発行と販売のためのコストを抑えたことの意味がなくなってしまう。
【０００７】
さらに、厳重なチェックを行うこととした場合、イベント会場への入退場のための人の流れが滞ってしまうという問題も発生する。イベント会場への入場の場合には、イベントの開始時間が決まっているものであっても、人によって入場時間のずれが生じるのが普通であるため、このことがそれほど大きな問題となることはない。これに対して、イベント会場からの退場については、イベントの終了直後に多くの人が一斉に退場しようとするものであるため、人の流れが滞ってしまうということが非常に大きな問題となる。
【０００８】
本発明は、上記従来技術の問題点を解消するためになされたものであり、特定の場所への不正な入場の防止を図ることができる入退場管理システム及び方法、並びにそのためのプログラムを提供することを目的とする。
【０００９】
本発明は、また、特定の場所から退場してくる人の流れを妨げることなく、当該特定の場所への入退場を管理することができる入退場管理システム及び方法、並びにそのためのプログラムを提供することを目的とする。
【００１０】
【課題を解決するための手段】
上記目的を達成するため、本発明の第１の観点にかかる入退場管理システムは、
利用者が携帯可能な携帯媒体に記憶された利用者の識別情報と特定の場所へ入場するための入場チケットとを、前記特定の場所の入場口に設置された入力装置から入力する入場口入力手段と、
前記入場チケット毎に、前記入場口入力手段から入力された利用者の識別情報を対応付けて登録する入場チケット登録手段と、
前記携帯媒体に記憶された利用者の識別情報を、前記特定の場所の退場口に設置された入力装置から入力する退場口入力手段と、
前記退場口入力手段から入力された利用者の識別情報が前記入場チケット登録手段に登録されているかどうか、さらに該利用者の識別情報に対応付けて前記入場チケット登録手段に登録されている入場チケットに、他の利用者の識別情報も対応付けて登録されているかどうかを判定する第１の入場登録判定手段と、
前記第１の入場登録判定手段が利用者の識別情報が登録されており、かつ他の利用者の識別情報が対応付けて登録されていないと判定した場合に、前記特定の場所の退場口に設置された退場ゲートを開放状態とさせる退場ゲート開放手段と
を備えることを特徴とする。
【００１１】
ここで、第１の入場登録判定手段と退場ゲート開放手段とは、他の手段とは異なるコンピュータ装置による分散処理としてもよい。この場合、入場チケット登録手段のうちで利用者の識別情報に重複があった入場チケットに関しては、その登録内容のうちで重複している利用者の識別情報だけを、第１の入場登録判定手段を含むコンピュータ装置に予め送っておくことができる。また、利用者の識別情報とは、携帯媒体の識別情報を含む概念である。
【００１２】
上記入退場管理システムでは、不正な複製によって１つの入場チケットで複数の者が特定の場所に入場してしまっても、不正な複製があった入場チケットで入場している者は、退場ゲートが開放状態とならないために、退場口を通って特定の場所から退場することができない。また、入場チケットを持たずに特定の場所に不正に入場した者も、退場ゲートが開放状態とならないために、退場口を通って特定の場所から退場することができない。
【００１３】
つまり、不正な手段で特定の場所に入場した者は退場口において捕捉されることとなるので、心理的な圧迫効果により特定の場所への不正な入場を防ぐことができる。また、入場口の入力装置では、利用者の識別情報と入場チケットとを入力しなければならないが、退場口の入力装置では、利用者の識別情報だけでよい。このため、同時期に入場口よりも多くの者が集中する可能性が高い退場口において、その退場のための人の流れを妨げない。
【００１４】
上記入退場管理システムにおいて、
前記入場チケット登録手段は、前記特定の場所への入場チケットとして配布した入場チケットを予め登録していてもよい。この場合、上記システムは、
前記入場口入力手段から入力された入場チケットが、前記入場チケット登録手段に登録されているかどうかを判定する入場チケット判定手段と、
前記入場チケット判定手段が入場チケットが登録されていると判定した場合に、前記特定の場所の入場口に設置された入場ゲートを開放状態とさせる入場ゲート開放手段とをさらに備えるものとすることができる。
【００１５】
上記入退場管理システムにおいては、また、
前記入場チケット登録手段は、個別の入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の入場チケットを一意に識別可能な個別情報を登録したものであってもよい。この場合、上記システムは、
前記入場口入力手段から入力された入場チケットに対応付けられる固有の数値を前記複数の演算式でそれぞれ演算し、各演算式の演算結果に対応する各テーブルの記憶位置の全てに、同一の個別情報が登録されているかどうかを判定する入場チケット判定手段と、
前記入場チケット判定手段が同一の個別情報が登録されていると判定した場合に、前記特定の場所の入場口に設置された入場ゲートを開放状態とさせる入場ゲート開放手段とをさらに備えるものとすることができる。
【００１６】
これらの場合、正規に配布された入場チケットを記憶させた携帯媒体を持っていない者は、入場ゲートが開放状態とならないために、入場口を通って特定の場所に入場することができない。これにより、特定の場所への不正な入場をより強固に防ぐことができる。
【００１７】
なお、後者の構成において、前記複数の演算式は、個別の入場チケットに対応付けられる固有の数値を互いに異なる除数で除算した剰余を求める式であって、前記互いに異なる除数の最小公倍数は、個別の入場チケットに対応付けられる固有の数値がとり得る値の最大値と最小値との差よりも大きいものとすることができる。ここで、前記複数の演算式でそれぞれ用いられる除数は、互いに素であることが好ましい。なお、後述する再入場チケット及び仮入場チケットに関しても、これと同じことがいえる。
【００１８】
上記入退場管理システムは、
前記携帯媒体に記憶された利用者の識別情報を、前記特定の場所の一時退場口に設置された入力装置から入力する一時退場口入力手段と、
前記一時退場口入力手段からの利用者の識別情報の入力に応答して、前記特定の場所へ再入場するための再入場チケットを、前記携帯媒体に記憶させるべく発行する再入場チケット発行手段と、
前記携帯媒体に記憶された利用者の識別情報と再入場チケットとを、前記特定の場所の再入場口に設置された入力装置から入力する再入場口入力手段と、
前記再入場チケット毎に、前記再入場口入力手段から入力された利用者の識別情報を対応付けて登録する再入場チケット登録手段と、
前記退場口入力手段から入力された利用者の識別情報に対応付けて前記再入場チケット登録手段に登録されている再入場チケットに、他の利用者の識別情報も対応付けて登録されているかどうかを判定する再入場登録判定手段とをさらに備えるものとすることができる。この場合において、
前記退場ゲート開放手段は、さらに前記再入場登録判定手段が他の利用者の識別情報が対応付けて登録されていないと判定した場合に、前記退場ゲートを開放状態とさせるものとすることができる。
【００１９】
ここで、再入場登録判定手段も、第１の入場登録判定手段及び退場ゲート開放手段と同様に、他の手段とは異なるコンピュータ装置による分散処理としてもよい。この場合、再入場チケット登録手段のうちで利用者の識別情報に重複があった再入場チケットに関しては、その登録内容のうちで重複している利用者の識別情報だけを、再入場登録判定手段を含むコンピュータ装置に予め送っておくことができる。
【００２０】
この場合、不正な複製によって１つの再入場チケットで複数の者が特定の場所に入場してしまっても、不正な複製があった再入場チケットで入場している者は、退場ゲートが開放状態とならないために、退場口を通って特定の場所から退場することができない。このため、一時退場−再入場を利用して特定の場所に不正に入場した者も、退場口において捕捉されることとなるので、心理的な圧迫効果により特定の場所への不正な入場を防ぐことができる。
【００２１】
この場合において、上記入退場管理システムでは、
前記入場チケット登録手段は、前記再入場チケット発行手段が発行した再入場チケットを予め登録していてもよい。この場合において、上記システムは、
前記再入場口入力手段から入力された再入場チケットが、前記再入場チケット登録手段に登録されているかどうかを判定する再入場チケット判定手段と、
前記再入場チケット判定手段が再入場チケットが登録されていると判定した場合に、前記特定の場所の再入場口に設置された再入場ゲートを開放状態とさせる再入場ゲート開放手段とをさらに備えるものとすることができる。
【００２２】
この場合においては、上記入退場管理システムでは、また、
前記再入場チケット登録手段は、個別の再入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の再入場チケットを一意に識別可能な個別情報を登録したものであってもよい。この場合において、上記システムは、
前記再入場口入力手段から入力された再入場チケットに対応付けられる固有の数値を前記複数の演算式でそれぞれ演算し、各演算式の演算結果に対応する各テーブルの記憶位置の全てに、同一の個別情報が登録されているかどうかを判定する再入場チケット判定手段と、
前記再入場チケット判定手段が同一の個別情報が登録されていると判定した場合に、前記特定の場所の再入場口に設置された再入場ゲートを開放状態とさせる再入場ゲート開放手段とをさらに備えるものとすることができる。
【００２３】
ここで、前記入場チケットと再入場チケットとの対応付けを登録した入場／再入場登録手段をさらに備えるものとすることによって、
前記再入場口入力手段は、さらに前記入場チケットを入力し、
前記再入場登録判定手段は、前記入場／再入場登録手段を参照し、前記入場チケットと前記再入場チケットとの対応付けが正しいかどうかを判定し、
前記再入場ゲート開放手段は、さらに前記再入場登録判定手段が対応付けが正しいと判定した場合に、前記再入場ゲートを開放状態とさせるものとすることができる。
【００２４】
このように再入場口で再入場チケットのチェックを行うことで、正規に発行された再入場チケットを持っていない者が再入場口を通って特定の場所に不正に入場するのを防ぐことができる。また、入場チケットと再入場チケットとの両方を再入場口で入力させ、その対応付けの正しさについても判定することにより、正規に発行された入場チケットと再入場チケットとを持たない者が再入場口を通って特定の場所へ不正に入場することをさらに強固に防ぐことができる。
【００２５】
また、前記再入場チケットには、有効期限が付されている場合には、
前記再入場チケット判定手段は、さらに前記再入場口入力手段から入力された再入場チケットが有効期限内のものであるかどうかを判定し、
前記再入場ゲート開放手段は、前記再入場チケット判定手段が有効期限内のものであると判定した場合に、前記再入場ゲートを開放状態とさせるものとすることができる。
【００２６】
このように再入場チケットに有効期限を付けておくことにより、再入場チケットが利用者の側で長期間管理される可能性がなくなり、その不正な複製によって特定の場所への不正な入場がされることを防ぐことができる。
【００２７】
また、さらに
前記一時退場口入力手段から入力された利用者の識別情報が前記入場チケット登録手段に登録されているかどうか、さらに該利用者の識別情報に対応付けて前記入場チケット登録手段に登録されている入場チケットに他の利用者の識別情報も対応付けて登録されているかどうかを判定する第２の入場登録判定手段と、
前記第２の入場登録判定手段が利用者の識別情報が登録されており、かつ他の利用者の識別情報が対応付けて登録されていないと判定した場合に、前記特定の場所の一時退場口に設置された一時退場ゲートを開放状態とさせる一時退場ゲート開放手段とを備えるものとすることができる。
【００２８】
ここで、第２の入場登録判定手段と一時退場ゲート開放手段とは、他の手段とは異なるコンピュータ装置による分散処理としてもよい。この場合、入場チケット登録手段のうちで利用者の識別情報に重複があった入場チケットに関しては、その登録内容のうちで重複している利用者の識別情報だけを、第２の入場登録判定手段を含むコンピュータ装置に予め送っておくことができる。
【００２９】
不正な複製によって１つの入場チケットで複数の者が特定の場所に入場してしまっても、不正な複製があった入場チケットで入場している者は、一時退場ゲートも開放状態とならないために、一時退場口を通っても特定の場所から退場することができない。また、入場チケットを持たずに特定の場所に不正に入場した者も、一時退場ゲートが開放状態とならないために、一時退場口を通っても特定の場所から退場することができない。つまり、不正な手段で特定の場所に入場した者は退場口だけでなく一時退場口においても捕捉されることとなり、特定の場所から退場する手段がなくなるので、心理的な圧迫効果により特定の場所への不正な入場を防ぐことができる。
【００３０】
上記入退場管理システムにおいて、
前記携帯媒体は、前記入場チケットの発行を受けるための仮入場チケットを、前記利用者の識別情報と共に記憶したものであってもよい。この場合において、上記システムは、
前記携帯媒体は、前記入場チケットの発行を受けるための仮入場チケットを、前記利用者の識別情報と共に記憶しており、
前記入場チケットを発行させるべく配布した仮入場チケット毎に、対応する入場チケットの配布先となる携帯媒体に関する情報を登録した仮入場チケット登録手段と、
前記携帯媒体に記憶された仮入場チケットを、前記入場口よりも前の前記特定の場所への入場経路に設置された入力装置から入力する入場前入力手段と、
前記入場前入力手段からの仮入場チケットの入力に応答して、前記入場チケットを発行し、前記仮入場チケット登録手段に前記配布先として登録された携帯媒体に記憶させるべく配布する入場チケット発行手段とをさらに備えるものとすることができる。
【００３１】
前記仮入場チケット登録手段は、個別の仮入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の仮入場チケットを一意に識別可能な個別情報を登録したものであってもよい。この場合において、
前記入場チケット発行手段は、前記入場前入力手段から入力された仮入場チケットに対応付けられる固有の数値を前記複数の演算式でそれぞれ演算し、各演算式の演算結果に対応する各テーブルの記憶位置の全てに、同一の個別情報が登録されているかどうかを判定し、同一の個別情報が登録されていると判定した場合に、前記入場チケットを発行するものとすることができる。
【００３２】
ここで、前記入場チケットと仮入場チケットとの対応付けを登録した入場／仮入場登録手段をさらに備えるものとすることによって、
前記入場口入力手段は、さらに前記仮入場チケットを入力し、
前記再入場登録判定手段は、前記入場／仮入場登録手段を参照し、前記入場チケットと前記仮入場チケットとの対応付けが正しいかどうかを判定し、
前記入場ゲート開放手段は、さらに前記入場登録判定手段が対応付けが正しいと判定した場合に、前記入場ゲートを開放状態とさせるものとすることができる。
【００３３】
このように本来の入場チケットとは異なる仮入場チケットを予め配布しておき、本来の入場チケットは特定の場所に入場する直前に配布するものとすることで、本来の入場チケットが利用者の側で長期間管理されることがない。これにより、入場チケットを不正に複製することが困難となり、不正に複製された入場チケットによって特定の場所に不正に入場されるのを防ぐことができる。また、入場チケットと仮入場チケットとの両方を入場口で入力させ、その対応付けの正しさについても判定することにより、正規に発行された入場チケットとそれに対応する仮入場チケットとを持たない者が入場口を通って特定の場所へ不正に入場することをさらに強固に防ぐことができる。
【００３４】
上記入退場管理システムにおいて、
前記携帯媒体に記憶されたチケット（入場チケット、再入場チケット及び仮入場チケットを含む）は、例えば、二次元バーコードとして前記携帯媒体が備える表示装置に表示され、各入力装置（入場口または再入場口に設置されたもの）が備える読み取り装置に読み取られるものとすることができる。
【００３５】
また、前記携帯媒体に記憶された利用者の識別情報は、前記携帯媒体から無線信号で送信されて各入力装置（入場口、退場口、一時退場口、再入場口、または入場経路に設置されたもの）が備える受信装置に受信されるものとすることができる。
【００３６】
ここで、前記携帯媒体は、各入力装置（入場口、退場口、一時退場口、再入場口、または入場経路に設置されたもの）から発信されている信号に自動的に応答して、記憶している利用者の識別情報を無線送信することができるものとすることが好ましい。
【００３７】
入場チケット、再入場チケット及び仮入場チケットといったチケットは、その存在が利用者にも分かり易いようにするため、可視化するのが好ましい。これを各入力装置から入力する場合には、表示装置へ表示させ、読み取り装置に読み取らせるという手順が必要であるため、利用者の手間がかかり、入力動作を終了するまでにも比較的時間を要する。が、入場口及び再入場口では、一般的に退場口に比べて同時期に多くの人が集中することがないので、人の流れを妨げるかどうかということがそれほど問題とならない。一方、利用者の識別情報を無線通信で入力できるものとすることで、退場口における入力動作を終了するまでに時間がかからず、同時期に多くの人が集中する可能性がある退場口において、人の流れを妨げることがない。さらに、携帯媒体が自動応答して利用者の識別情報を無線送信できるようにすることで、退場口における人の流れがさらに円滑になる。
【００３８】
上記入退場管理システムは、
利用者の識別情報の入力に従って、前記特定の場所にいる者の数をカウントするカウント手段をさらに備えるものとすることができる。
【００３９】
このようなカウント手段を備えることにより、特定の場所にどの程度の数の者がいるかが分かる。これにより、例えば、前記カウント手段のカウント値に従って、入場ゲートを開放状態とさせたり閉鎖状態とさせたりして、特定の場所への入場者の数を制限することができる。
【００４０】
上記目的を達成するため、本発明の第２の観点にかかる入退場管理システムは、
利用者が携帯可能な携帯媒体に記憶され、特定の場所へ入場するための入場チケットの発行を受けるための仮入場チケットを、前記特定の場所の入場口よりも前の入場経路に設置された入力装置から入力する入場前入力手段と、
前記入場チケットを発行させるべく配布した仮入場チケット毎に、対応する入場チケットの配布先となる携帯媒体に関する情報を仮入場チケット登録手段と、
前記入場前入力手段からの仮入場チケットの入力に応答して、前記入場チケットを発行し、前記仮入場チケット登録手段に前記配布先として登録された携帯媒体に記憶させるべく配布する入場チケット発行手段と
を備えることを特徴とする。
【００４１】
上記入退場管理システムにおいて、
前記仮入場チケット登録手段は、個別の仮入場チケットに対応付けられる固有の数値を互いに異なる複数の演算式で演算した演算結果に応じた記憶位置であって、前記複数の演算式にそれぞれ対応付けられる複数のテーブル内の記憶位置の各々に、個別の仮入場チケットを一意に識別可能な個別情報を登録したものであってもよい。この場合において、
前記入場チケット発行手段は、前記入場前入力手段から入力された仮入場チケットに対応付けられる固有の数値を前記複数の演算式でそれぞれ演算し、各演算式の演算結果に対応する各テーブルの記憶位置の全てに、同一の個別情報が登録されているかどうかを判定し、同一の個別情報が登録されていると判定した場合に、前記入場チケットを発行するものとすることができる。
【００４２】
上記目的を達成するため、本発明の第３の観点にかかる入退場管理方法は、
利用者が携帯可能な携帯媒体に記憶された利用者の識別情報と特定の場所へ入場するための入場チケットとを、前記特定の場所の入場口に設置された入力装置から入力するステップと、
前記入場チケット毎に、前記入場口に設置された入力装置から入力された利用者の識別情報を対応付けて第１の登録手段に登録するステップと、
前記携帯媒体に記憶された利用者の識別情報を、前記特定の場所の退場口に設置された入力装置から入力するステップと、
前記退場口に設置された入力装置から入力された利用者の識別情報が前記第１の登録手段に登録されているかどうか、さらに該利用者の識別情報に対応付けて前記第１の登録手段に登録されている入場チケットに、他の利用者の識別情報も対応付けて登録されているかどうかを判定するステップと、
前記第１の登録手段に利用者の識別情報が登録されており、かつ他の利用者の識別情報が対応付けて登録されていないと判定した場合に、前記特定の場所の退場口に設置された退場ゲートを開放状態とさせるステップと
を含むことを特徴とする。
【００４３】
上記入退場管理方法は、
前記携帯媒体に記憶された利用者の識別情報を、前記特定の場所の一時退場口に設置された入力装置から入力するステップと、
前記一時退場口に設置された入力装置からの利用者の識別情報の入力に応答して、前記特定の場所へ再入場するための再入場チケットを、前記携帯媒体に記憶させるべく発行するステップと、
前記携帯媒体に記憶された利用者の識別情報と再入場チケットとを、前記特定の場所の再入場口に設置された入力装置から入力するステップと、
前記再入場チケット毎に、前記再入場口に設置された入力装置から入力された利用者の識別情報を対応付けて第２の登録手段に登録するステップと、
前記退場口に設置された入力装置から入力された利用者の識別情報に対応付けて前記第２の登録手段に登録されている再入場チケットに、他の利用者の識別情報も対応付けて登録されているかどうかを判定するステップとをさらに含むものとすることができ、この場合、
前記退場ゲートを開放状態とさせるステップでは、さらに前記第２の登録手段に他の利用者の識別情報が対応付けて登録されていないと判定した場合に、前記退場ゲートを開放状態とさせることができる。
【００４４】
上記入退場管理方法は、
前記携帯媒体は、前記入場チケットの発行を受けるための仮入場チケットを、前記利用者の識別情報と共に記憶している場合において、
前記入場チケットを発行させるべく配布した仮入場チケット毎に、対応する入場チケットの配布先となる携帯媒体に関する情報と共に第３の登録手段に登録させるステップと、
前記携帯媒体に記憶された仮入場チケットを、前記入場口よりも前の前記特定の場所への入場経路に設置された入力装置から入力するステップと、
前記入場経路に設置された入力装置からの仮入場チケットの入力に応答して、前記入場チケットを発行し、前記第３の登録手段に前記配布先として登録された携帯媒体に記憶させるべく配布するステップとをさらに含むものとすることができる。
【００４５】
上記目的を達成するため、本発明の第３の観点にかかるプログラムは、
利用者が携帯可能な携帯媒体に記憶された利用者の識別情報と特定の場所へ入場するための入場チケットとを、前記特定の場所の入場口に設置された入力装置から入力する入場口入力手段、
前記入場チケット毎に、前記入場口入力手段から入力された利用者の識別情報を対応付けて登録する入場チケット登録手段、
前記携帯媒体に記憶された利用者の識別情報を、前記特定の場所の退場口に設置された入力装置から入力する退場口入力手段、
前記退場口入力手段から入力された利用者の識別情報が前記入場チケット登録手段に登録されているかどうか、さらに該利用者の識別情報に対応付けて前記入場チケット登録手段に登録されている入場チケットに、他の利用者の識別情報も対応付けて登録されているかどうかを判定する第１の入場登録判定手段、及び、
前記第１の入場登録判定手段が利用者の識別情報が登録されており、かつ他の利用者の識別情報が対応付けて登録されていないと判定した場合に、前記特定の場所の退場口に設置された退場ゲートを開放状態とさせる退場ゲート開放手段
としてコンピュータ装置を機能させることを特徴とする。
【００４６】
上記プログラムは、
前記携帯媒体に記憶された利用者の識別情報を、前記特定の場所の一時退場口に設置された入力装置から入力する一時退場口入力手段、
前記一時退場口入力手段からの利用者の識別情報の入力に応答して、前記特定の場所へ再入場するための再入場チケットを、前記携帯媒体に記憶させるべく発行する再入場チケット発行手段、
前記携帯媒体に記憶された利用者の識別情報と再入場チケットとを、前記特定の場所の再入場口に設置された入力装置から入力する再入場口入力手段と、
前記再入場チケット毎に、前記再入場口入力手段から入力された利用者の識別情報を対応付けて登録する再入場チケット登録手段、及び、
前記退場口入力手段から入力された利用者の識別情報に対応付けて前記再入場チケット登録手段に登録されている再入場チケットに、他の利用者の識別情報も対応付けて登録されているかどうかを判定する再入場登録判定手段としてさらに前記コンピュータ装置を機能させるものとすることができ、この場合、
前記退場ゲート開放手段は、さらに前記再入場登録判定手段が他の利用者の識別情報が対応付けて登録されていないと判定した場合に、前記退場ゲートを開放状態とさせるものとすることができる。
【００４７】
上記プログラムは、
前記携帯媒体は、前記入場チケットの発行を受けるための仮入場チケットを、前記利用者の識別情報と共に記憶している場合には、
前記入場チケットを発行させるべく配布した仮入場チケット毎に、対応する入場チケットの配布先となる携帯媒体に関する情報を登録した仮入場チケット登録手段、
前記携帯媒体に記憶された仮入場チケットを、前記入場口よりも前の前記特定の場所への入場経路に設置された入力装置から入力する入場前入力手段、及び、前記入場前入力手段からの仮入場チケットの入力に応答して、前記入場チケットを発行し、前記仮入場チケット登録手段に前記配布先として登録された携帯媒体に記憶させるべく配布する入場チケット発行手段としてさらに前記コンピュータ装置を機能させるものとすることができる。
【００４８】
【発明の実施の形態】
以下、添付図面を参照して、本発明の実施の形態について説明する。
【００４９】
図１は、この実施の形態にかかる入退場管理システムの構成を模式的に示す図である。この入退場管理システムは、コンサートなどのイベント会場１への入退場を管理するために適用され、入場ゲート２と、一時退場ゲート３と、再入場ゲート４と、退場ゲート５とを備えている。入場ゲート２、一時退場ゲート３、再入場ゲート４、及び退場ゲート５は、それぞれイベント会場１の入場口、一時退場口、再入場口、退場口に少なくとも１台ずつ設置されている。これらは、後述する開閉ゲートが開放状態となったときに、１台について１度に１人ずつ通過できるようになっている。
【００５０】
各ゲート２〜５は、通信線７を介してサーバ装置６に接続されている。図ではサーバ装置６がイベント会場１内に設置されているように記載されているが、イベント会場１外に設置されていてもよい。イベント会場１に入場する者は、携帯電話機８を有している必要がある。サーバ装置６と携帯電話機８とは、携帯電話網を含むネットワーク９を介して接続される。各ゲート２〜５を通過しようとする者は、携帯電話機８から情報を各ゲート２〜５に入力させる必要がある。また、イベント会場１に入場または再入場するためのチケットは、二階調のマトリクスパターンを有する二次元バーコードによって構成され、携帯電話機８に表示される。
【００５１】
図２は、携帯電話機８の構成を示す図である。図示するように、携帯電話機８は、ＣＰＵ（Central Processing Unit）８１と、ＲＯＭ（Read Only Memory）８２と、ＲＡＭ（Random Access Memory）８３と、個体番号メモリ８４と、キー入力装置８５と、表示装置８６と、通信装置８７と、赤外線送信装置８８とを備えている。携帯電話機８は、この他にも通話機能のための構成要素を備えているが、本発明と直接の関係がないので省略している。
【００５２】
ＣＰＵ８１は、ＲＯＭ８２に記憶されたプログラムを実行し、入場チケットの購入及び表示、個体番号の送信などの処理を行う。ＣＰＵ８１は、キー入力装置８５からの入力に従って、入場チケットまたは再入場チケットを表示装置８６に表示させる。ＲＯＭ８２は、ＣＰＵ８１の処理プログラムや固定的なデータを記憶する。ＲＡＭ８３は、データの記憶領域として用いられるものであり、当該データの中には、入場チケット及び再入場チケットも含まれる。ＲＡＭ８３は、電源バックアップされており、携帯電話機８の電源がオフされても、記憶内容を保持し続ける。
【００５３】
個体番号メモリ８４は、携帯電話機８毎に固有の個体番号（製造番号及び電話番号を含む）を格納する不揮発性のメモリである。キー入力装置８５は、「１」〜「０」までの数字キー、「＊」キー、「＃」キーなどを含み、利用者の操作によって必要な指示をＣＰＵ８１に入力する。表示装置８６は、液晶表示装置などによって構成され、キー入力装置８５からの入力に従って入場チケットまたは再入場チケットとして用いられる二次元バーコードを表示する。
【００５４】
通信装置８７は、ＣＰＵ８１の制御の下、ネットワーク９を介してサーバ装置６と情報を送受信する。赤外線送信装置８８は、キー入力装置８５からの入力に従って、個体番号メモリ８４に格納された携帯電話機８の個体番号を赤外線信号に加工して入場ゲート２、一時退場ゲート３、再入場ゲート４及び退場ゲート５に送信する。個体番号の送信時におけるキー入力装置８５の操作は、特定のボタンの押圧などの単純なものでよい。
【００５５】
図３は、入場ゲート２、一時退場ゲート３、再入場ゲート４、或いは退場ゲート５の構成を示す図である。これらの各ゲート２〜５は、コンピュータ装置を内蔵するものであり、図示するように、ＣＰＵ１１と、記憶装置１２と、通信装置１３と、赤外線受信装置１４と、バーコードリーダ１５と、開閉ゲート１６と、アラーム装置１７とを備えている。もっとも、一時退場ゲート３及び退場ゲート５は、バーコードリーダ１５を備えていなくてもよい。
【００５６】
ＣＰＵ１１は、記憶装置１２に記憶されたプログラムを実行し、携帯電話機８からの入場チケット、再入場チケット、個体番号に対してサーバ装置６から送られてくる開放許可通知メッセージに従って、開閉ゲート１６を開放状態とさせる。また、サーバ装置６から送られてくる不正入場通知メッセージに従ってアラーム装置１７にアラームを発せさせる。記憶装置１２は、主記憶装置及び補助記憶装置を含み、ＣＰＵ１１の処理プログラムを記憶すると共に、データの記憶領域として用いられる。
【００５７】
通信装置１３は、通信線７を介してサーバ装置６と情報を送受信する。赤外線受信装置１４は、携帯電話機８の赤外線送信装置８８から赤外線信号で送信された個体番号を受信する。受信した個体番号は、通信装置１３から通信線７を介してサーバ装置６に送られることで、サーバ装置６に入力される。バーコードリーダ１５は、携帯電話機８の表示装置８６に表示された入場チケットまたは再入場チケットの二次元バーコードを読み取る。読み取られた入場チケットまたは再入場チケットは、通信装置１３から通信線７を介してサーバ装置６に送られることで、サーバ装置６に入力される。
【００５８】
開閉ゲート１６は、通常の状態ではアーム１６ａが閉鎖状態にあり、人がイベント会場１へ入退場するのを防いでいる。開閉ゲート１６は、サーバ装置６から開放許可通知メッセージを受信した場合にアーム１６ａが開放状態となり、１度に１人だけが通過できるようにしている。アラーム装置１７は、サーバ装置６から不正入場通知メッセージを受信した場合、イベント会場１への不正な入場があった旨のアラームを発報する。
【００５９】
図４は、サーバ装置６の構成を示すブロック図である。サーバ装置６は、入場チケットの発行、並びに入場ゲート２、一時退場ゲート３、再入場ゲート４及び退場ゲート５との協働による入退場の管理のための処理を行う。サーバ装置６は、汎用コンピュータ装置によって構成されるもので、図示するように、ＣＰＵ６１と、記憶装置６２と、第１通信装置６３と、第２通信装置６４とを備えている。また、データベースとして、入場チケットデータベース６５と、再入場チケットデータベース６６とを有している。
【００６０】
ＣＰＵ６１は、記憶装置６２に記憶されたプログラムを実行し、入場チケット及び再入場チケットを発行したり、ゲート２〜５から送られてくる情報に基づいてイベント会場１への入退場を管理したりといった処理を行う。記憶装置６２は、主記憶装置及び補助記憶装置を含み、ＣＰＵ６１の処理プログラムを記憶すると共に、データの記憶領域として用いられる。第１通信装置６３は、通信線７を介してゲート２〜５と情報を送受信する。第２通信装置６４は、ネットワーク９を介して携帯電話機８と情報を送受信する。
【００６１】
入場チケットデータベース６５は、正規に販売されたイベント会場１への入場チケットに関する情報を登録するデータベースであり、図５に示すように、入場チケット毎に１レコードの可変長データが作成される。各レコードのデータは、チケットＩＤと、入場チケットとなる二次元バーコードと、入場チケットを購入した者のアドレスと、退場チェックフラグと、携帯電話機８の個体番号とを含んでいる。
【００６２】
チケットＩＤは、入場チケット毎に固有の識別情報であり、入場チケットデータベース６５と再入場チケットデータベース６６とを参照する際のキーともなる。入場チケットの二次元バーコードは、オンライン販売によって発行されるものであり、購入した者の携帯電話機８に送信されるものと同一である。アドレスは、購入時に入場チケットを送信する宛先であるほか、対応して発行される再入場チケットを送信する宛先ともなる。
【００６３】
退場チェックフラグは、当該入場チケットで入場した者が退場ゲート５から退場したときにセットされるフラグである。携帯電話機８の個体番号は、入場チケットと共に入場ゲート２から送られてくるものである。不正に複製された入場チケットによって入場ゲート２からイベント会場１に入場される場合もあるので、当該入場チケットに対応して入場ゲート２から送られてきた個体番号が複数ある場合には、その全てが登録されるものとなる。
【００６４】
再入場チケットデータベース６６は、イベント会場１から一時退場した者がイベント会場１に再入場するために発行される再入場チケットに関する情報を登録するデータベースであり、図６に示すように、再入場チケット毎に１レコードの可変長データが作成される。各レコードのデータは、チケットＩＤと、再入場チケットとなる二次元バーコードと、再入場チケットの発行日時と、再入場チェックフラグと、携帯電話機８の個体番号とを含んでいる。
【００６５】
チケットＩＤは、再入場チケットに対応する入場チケットのチケットＩＤと同じものが登録される。再入場チケットの二次元バーコードは、一時退場ゲート３からの一時退場によって発行されるものであり、一時退場した者（但し、正規の入場チケットを有する場合）の携帯電話機８に送信されるものと同一である。再入場チケットの発行日時は、再入場チケットの有効期限を限るに登録されるものである。
【００６６】
再入場チェックフラグは、当該再入場チケットを用いて再入場ゲート４からイベント会場１への入場があったときにセットされるフラグである。携帯電話機８の個体番号は、再入場チケットと共に再入場ゲート４から送られてくるものである。不正に複製された再入場ゲートによって再入場ゲート４からイベント会場１に入場される場合もあるので、当該再入場チケットに対応して再入場ゲート４から送られてきた個体番号が複数ある場合には、その全てが登録されるものとなる。
【００６７】
以下、この実施の形態にかかる入退場管理システムにおける処理について説明する。この入退場管理システムでは、（１）イベント会場１への入場の管理、（２）イベント会場１からの一時退場の管理、（３）イベント会場１への再入場の管理、（４）イベント会場１からの退場の管理、の処理がそれぞれ行われる。その前提として、イベント会場１への入場チケットの販売を正規に行っておく必要がある。
【００６８】
図７は、入場チケットを販売するための処理を示すフローチャートである。この処理は、入場チケットを購入しようとする者の携帯電話機８と、サーバ装置６とによって実行される。
【００６９】
携帯電話機８の利用者は、入場チケットの申込フォームを取得し、表示装置８６に表示させる。この利用者は、表示された申し込みフォームに従ってキー入力装置８５を操作することによって、入場チケットの購入申し込みをするのに必要な事項（以下、申込事項）を入力する（ステップＳ１０１）。申込事項には、少なくとも当該利用者の携帯電話機８に情報を送信するためのアドレスが含まれる。入力内容が確定すると、ＣＰＵ８１は、申込事項を通信装置８７からネットワーク９を介してサーバ装置６に送信させる（ステップＳ１０２）。
【００７０】
サーバ装置６の第２通信装置６４が携帯電話機８から申込事項を受信すると、これを記憶装置６２に一時保存させる（ステップＳ１２１）。ＣＰＵ６１は、申し込まれた入場チケットが売り切れていないことを条件として、未使用の二次元バーコードからなる入場チケットを発行する。発行された入場チケットは、記憶装置６２に一時保存される（ステップＳ１２２）。ＣＰＵ６１は、当該入場チケットに固有のチケットＩＤを付与し、入場チケットデータベース６５に新たなレコードを作成して、チケットＩＤと、ステップＳ１２２で一時保存された入場チケットの二次元バーコードとを、申込事項に含まれるアドレスと対応付けて登録する（ステップＳ１２３）。
【００７１】
ＣＰＵ６１は、ステップＳ１２２で発行して記憶装置６２に一時保存しておいた入場チケットの二次元バーコードを、第２通信装置６４からネットワーク９を介して申し込みを行った携帯電話機８に送信させる（ステップＳ１２４）。携帯電話機８の通信装置８７が入場チケットの二次元バーコードを受信すると（ステップＳ１０３）、これをＲＡＭ８３に記憶させる（ステップＳ１０４）。以上で入場チケットの販売が終了する。
【００７２】
以上のようにして入場チケットを購入した者は、それがＲＡＭ８３に保存された携帯電話機８を持っていくことで、イベント会場１へ入場することが可能となる。ところで、この入場チケットを用いてイベント会場１に入場するためには、これを表示装置８６に表示させ、バーコードリーダ１５に読み取らせる操作と、個体番号メモリ８４の個体番号を赤外線送信するための操作とが不可欠となる。イベント会場１への入退場を管理するための各処理を説明する前に、これらの点について簡単に説明する。
【００７３】
利用者は、ゲート２〜５をそれぞれ通過する際に、携帯電話機８の赤外線送信装置８８を赤外線受信装置１４に向けてキー入力装置８５の特定のボタンを押圧するなどの操作を行う。この操作に応答して、携帯電話機８のＣＰＵ８１は、個体番号メモリ８４に格納されている個体番号を読み出し、赤外線送信装置８８に渡す。赤外線送信装置８８は、ＣＰＵ８１から渡された個体番号の情報を赤外線信号に加工し、所定の同期信号を付して赤外線受信装置１４に向けて送信する。ゲート２〜５の赤外線受信装置１４は、常時赤外線信号の受信を待機している状態にあり、同期信号の検出により個体番号を赤外線信号で受信する。
【００７４】
また、利用者は、入場ゲート２または再入場ゲート４を通過する際に、携帯電話機８のキー入力装置８５から所定の操作をすることで、入場チケットまたは再入場チケットの表示の指示をＣＰＵ８１に入力させる。携帯電話機８のＣＰＵ８１は、ＲＡＭ８３に記憶された入場チケットまたは再入場チケットを読み出し、二次元バーコードとしてＲＡＭ８３内に設けられるフレームメモリに展開して、表示装置８６に表示させる。利用者は、入場チケットまたは再入場チケットが表示された携帯電話機８の表示装置８６を、ゲート２、４のバーコードリーダ１５に押し当てる。バーコードリーダ１５は、光センサなどによって表示装置８６が押し当てられたことを検出すると、その表示装置８６に表示されている入場チケットまたは再入場チケットの二次元バーコードを読み取る。
【００７５】
次に、この実施の形態にかかる入退場管理システムにおける入退場の管理の処理、すなわち上記した（１）〜（４）の処理について、それぞれフローチャートを参照して詳しく説明する。
【００７６】
図８は、イベント会場１への入場を管理するための処理を示すフローチャートである。このフローチャートの処理は、入場ゲート２とサーバ装置６との協働によって行われる。
【００７７】
まず、携帯電話機８の利用者が上記したように赤外線送信装置８８から入場ゲート２の赤外線受信装置１４に向けて赤外線信号で個体番号を送信させると、赤外線受信装置１４は、この赤外線送信装置８８からの赤外線信号による個体番号を受信する（ステップＳ２０１）。さらに、携帯電話機８の利用者が上記したように表示装置８６に二次元バーコードの入場チケットを表示させて入場ゲート２のバーコードリーダ１５に押し当てると、バーコードリーダ１５は、この二次元バーコードの入場チケットを読み取る（ステップＳ２０２）。
【００７８】
ＣＰＵ１１は、赤外線受信装置１４が受信した個体番号と、バーコードリーダ１５が読み取った入場チケットとを、通信装置１３から通信線７を介してサーバ装置６に送信させる（ステップＳ２０３）。その後、入場ゲート２は、サーバ装置６から送られてくるメッセージ（開放許可通知メッセージまたは不正入場通知メッセージ）の受信待ち状態となる。
【００７９】
サーバ装置６では、ステップＳ２０３で入場ゲート２から送信されてきた個体番号と入場チケットとを第１通信装置６３が受信すると（ステップＳ２２１）、ＣＰＵ６１は、受信した入場チケットが入場チケットデータベース６５に登録されているかどうかを判定する（ステップＳ２２２）。入場チケットが登録されていた場合、ＣＰＵ６１は、当該入場チケットに対応する入場チケットデータベース６５のレコードに含まれる退場チェックフラグがセットされているかどうかを判定する（ステップＳ２２３）。
【００８０】
退場チェックフラグがセットされていなければ、ＣＰＵ６１は、当該入場チケットに対応する入場チケットデータベース６５のレコードに、ステップＳ２２１で受信した個体番号を登録する。ここで、既に何らかの個体番号が登録されていた場合であっても、ステップＳ２２１で受信した個体番号は重ねて登録されることとなる（ステップＳ２２４）。さらに、ＣＰＵ６１は、開放許可通知メッセージを第１通信装置６３から通信線７を介して入場ゲート２に送信させる（ステップＳ２２５）。
【００８１】
開放許可通知メッセージが送信されると、ＣＰＵ６１は、必要な場合にはイベント会場１内において当該利用者に割り当てる座席の番号を発行する（ステップＳ２２６）。ＣＰＵ６１は、この発行した座席番号を入場チケットデータベース６５に登録されているアドレスに従って、当該利用者の携帯電話機８に送信する（ステップＳ２２７）。これを受信した携帯電話機８の表示装置８６には、イベント会場１内での座席の番号が表示されて、当該利用者は、自己に割り当てられた座席に着くことができるようになる。
【００８２】
また、ステップＳ２２２で入場チケットの登録がなかった場合、またはステップＳ２２３で退場済みチェックフラグがセットされていた場合には、ＣＰＵ６１は、不正入場通知メッセージを第１通信装置６３から通信線７を介して入場ゲート２に送信させる（ステップＳ２２８）。以上でサーバ装置６側における処理は終了となる。
【００８３】
ステップＳ２２５で開放許可通知メッセージが送信された場合において、メッセージの受信待ちとなっていた入場ゲート２では、通信装置１３がこの開放許可通知メッセージを受信する（ステップＳ２０４）。ＣＰＵ１１は、開放許可通知メッセージに応答して、開閉ゲート１６にアーム１６ａを開放状態とさせ、個体番号及び入場チケットの入力を行った利用者を通過させる（ステップＳ２０５）。これにより、当該利用者がイベント会場１に入場できることとなる。そして、このフローチャートの処理を終了する。
【００８４】
一方、ステップＳ２２８で不正入場通知メッセージが送信された場合においては、メッセージの受信待ち状態となっていた入場ゲート２では、通信装置１３がこの不正入場通知メッセージを受信する（ステップＳ２０６）。ＣＰＵ１１は、不正入場通知メッセージの受信に応答して、アラーム装置１７にアラームを発報させる（ステップＳ２０７）。そして、このフローチャートの処理を終了する。
【００８５】
図９は、イベント会場１からの一時退場を管理するための処理を示すフローチャートである。このフローチャートの処理は、一時退場ゲート３とサーバ装置６との協働によって行われる。
【００８６】
まず、赤外線受信装置１４が携帯電話機８からの個体番号を受信すると（ステップＳ３０１）、一時退場ゲート３のＣＰＵ１１は、これを通信装置１３から通信線７を介してサーバ装置６に送信させる（ステップＳ３０２）。その後、一時退場ゲート３は、サーバ装置６から送られてくるメッセージの受信待ち状態となる。
【００８７】
サーバ装置６では、ステップＳ３０２で一時退場ゲート３から送信されてきた個体番号を第１通信装置６３が受信すると（ステップＳ３２１）、ＣＰＵ６１は、当該個体番号が入場チケットデータベース６５のいずれかのレコードに登録されているかどうかを判定する（ステップＳ３２２）。当該個体番号が登録されていれば、ＣＰＵ６１は、さらに当該個体番号が登録されている入場チケットデータベース６５のレコードに、他の個体番号が重ねて登録されているかどうかを判定する（ステップＳ３２３）。
【００８８】
他の個体番号が重ねて登録されていない場合には、ＣＰＵ６１は、未使用の再入場チケットを発行する。ＣＰＵ６１は、再入場チケットデータベース６６に新たなレコードを生成し、当該レコードに発行した再入場チケットと共に、受信した個体番号に対応する入場チケットのレコードに含まれるチケットＩＤ及び現在の発行日時を登録する（ステップＳ３２４）。
【００８９】
ＣＰＵ６１は、発行した再入場チケットの二次元バーコードを、受信した個体番号に対応する入場チケットのレコードに含まれるアドレスを宛先として、第２通信装置６４からネットワーク９を介して送信させる（ステップＳ３２５）。ステップＳ３０１において一時退場ゲート３に個体番号を受信させた携帯電話機８に記憶されている入場チケットが正規のものであったならば、ここで送信された再入場チケットは、当該携帯電話機８が受信するものとなる。
【００９０】
ＣＰＵ６１は、次に開放許可通知メッセージを第１通信装置６３から通信線７を介して一時退場ゲート３に送信させる（ステップＳ３２６）。一方、ステップＳ３２２において個体番号が登録されていない場合、ステップＳ３２３において他の個体番号が重ねて登録されている場合には、ＣＰＵ６１は、不正入場通知メッセージを第１通信装置６３から通信線７を介して一時退場ゲート３に送信させる（ステップＳ３２７）。以上でサーバ装置６側における処理は終了となる。
【００９１】
その後、メッセージの受信待ちとなっていた一時退場ゲート３がサーバ装置６からの開放許可通知メッセージまたは不正入場通知メッセージに基づいて行う処理（ステップＳ３０３〜Ｓ３０６）は、入場ゲート２が行っていた処理（ステップＳ２０４〜Ｓ２０７）と同じである。もっともこの場合は、開閉ゲート１６のアーム１６ａが開放状態となることで、利用者がイベント会場１から退場できるようになる。
【００９２】
図１０は、イベント会場１への再入場を管理するための処理を示すフローチャートである。このフローチャートの処理は、再入場ゲート４とサーバ装置６との協働によって行われる。
【００９３】
まず、赤外線受信装置１４が携帯電話機８からの個体番号を受信し（ステップＳ４０１）、バーコードリーダ１５が携帯電話機８の表示装置８６に表示された再入場チケットを読み取ると（ステップＳ４０２）、再入場ゲート４のＣＰＵ１１は、個体番号及び再入場チケットを通信装置１３から通信線７を介してサーバ装置６に送信させる（ステップＳ４０３）。その後、一時退場ゲート３は、サーバ装置６から送られてくるメッセージの受信待ち状態となる。
【００９４】
サーバ装置６では、ステップＳ４０３で再入場ゲート４から送信された個体番号と再入場チケットとを第１通信装置６３が受信すると（ステップＳ４２１）、ＣＰＵ６１は、受信した再入場チケットが再入場チケットデータベース６６に登録されているかどうかを判定する（ステップＳ４２２）。再入場チケットが登録されていた場合、ＣＰＵ６１は、当該再入場チケットのチケットＩＤを再入場チケットデータベース６６から取り出し、取り出したチケットＩＤに対応する入場チケットデータベース６５のレコードに含まれる退場チェックフラグがセットされているかどうかを判定する（ステップＳ４２３）。
【００９５】
退場チェックフラグがセットされていなければ、ＣＰＵ６１は、さらに再入場チケットデータベース６６を参照し、当該再入場チケットの発行日時から現在までの間に一定期間を経過していないで、当該再入場チケットが有効な状態にあるかどうかを判定する（ステップＳ４２４）。当該再入場チケットが有効な状態にあれば、ＣＰＵ６１は、当該再入場チケットに対応する再入場チケットデータベース６６のレコードに、ステップＳ４２１で受信した個体番号を登録する。ここでも、既に何らかの個体番号が登録されていれば、ステップＳ４２１で受信した個体番号は重ねて登録されることとなる（ステップＳ４２５）。
【００９６】
ＣＰＵ６１は、また、当該再入場チケットに対応する再入場チケットデータベース６６のレコードに含まれる再入場チェックフラグをセットする（ステップＳ４２６）。さらに、ＣＰＵ６１は、開放許可通知メッセージを第１通信装置６３から通信線７を介して再入場ゲート４に送信させる（ステップＳ４２７）。
【００９７】
また、ステップＳ４２２で再入場チケットの登録がなかった場合、ステップＳ４２３で退場済みフラグがセットされていた場合、またはステップＳ４２４で再入場チケットが有効な状態になかった場合には、ＣＰＵ６１は、不正入場通知メッセージを第１通信装置６３から通信線７を介して再入場ゲート４に送信させる（ステップＳ４２８）。以上でサーバ装置６側における処理は終了となる。
【００９８】
その後、メッセージの受信待ちとなっていた再入場ゲート４がサーバ装置６からの開放許可通知メッセージまたは不正入場通知メッセージに基づいて行う処理（ステップＳ４０４〜Ｓ４０７）は、入場ゲート２が行っていた処理（ステップＳ２０４〜Ｓ２０７）と同じである。
【００９９】
図１１は、イベント会場１からの退場を管理するための処理を示すフローチャートである。このフローチャートの処理は、退場ゲート５とサーバ装置６との協働によって行われる。
【０１００】
まず、赤外線受信装置１４が携帯電話機８からの個体番号を受信すると（ステップＳ５０１）、退場ゲート５のＣＰＵ１１は、これを通信装置１３から通信線７を介してサーバ装置６に送信させる（ステップＳ５０２）。その後、退場ゲート５は、サーバ装置６から送られてくるメッセージの受信待ち状態となる。
【０１０１】
サーバ装置６では、ステップＳ５０２で退場ゲート５から送信されてきた個体番号を第１通信装置６３が受信すると（ステップＳ５２１）、ＣＰＵ６１は、当該個体番号が入場チケットデータベース６５のいずれかのレコードに登録されているかどうかを判定する（ステップＳ５２２）。当該個体番号が登録されていれば、ＣＰＵ６１は、当該個体番号が登録されている入場チケットデータベース６５のレコードに、他の個体番号が重ねて登録されているかどうかを判定する（ステップＳ５２３）。入場チケットデータベース６５のレコードに他の個体番号が重ねて登録されていない場合には、ＣＰＵ６１は、さらに当該個体番号が登録されている再入場チケットデータベース６６のレコードに、他の個体番号が重ねて登録されているかどうかを判定する（ステップＳ５２４）。
【０１０２】
再入場チケットデータベース６６のレコードにも他の個体番号が重ねて登録されていない場合には、ＣＰＵ６１は、次に開放許可通知メッセージを第１通信装置６３から通信線７を介して退場ゲート５に送信させる（ステップＳ５２５）。さらにＣＰＵ６１は、当該個体番号を含む入場チケットデータベース６５のレコードに含まれる退場チェックフラグをセットする（ステップＳ５２６）。一方、ステップＳ５２２またはＳ５２３において他の個体番号が重ねて登録されている場合には、ＣＰＵ６１は、不正入場通知メッセージを第１通信装置６３から通信線７を介して退場ゲート５に送信させる（ステップＳ５２７）。以上でサーバ装置６側における処理は終了となる。
【０１０３】
その後、メッセージの受信待ちとなっていた退場ゲート５がサーバ装置６からの開放許可通知メッセージまたは不正入場通知メッセージに基づいて行う処理（ステップＳ５０３〜Ｓ５０６）は、入場ゲート２が行っていた処理（ステップＳ２０４〜Ｓ２０７）と同じである。もっともこの場合は、開閉ゲート１６のアーム１６ａが開放状態となることで、利用者がイベント会場１から退場できるようになる。
【０１０４】
なお、入場ゲート２または再入場ゲート４のアラーム装置１７がアラームを発報した場合は、不正に複製された入場チケットまたは再入場チケットが読み取られた場合か、有効に使用することができなくなった入場チケットまたは再入場チケットが読み取られた場合である。この場合には、仮にサーバ装置６もしくは入場ゲート２または再入場ゲート４における処理エラーであっても、その者は閉鎖状態のままの入場ゲート２または再入場ゲート４で足止めされてイベント会場１に入場することができない。
【０１０５】
イベント会場１の係員は、そのような者がいた場合に、その者の携帯電話機８に保持されている入場チケットまたは再入場チケットが正規の有効に使用可能なものであるかどうかを確認する。正規の有効に使用可能な入場チケットまたは再入場チケットを有する者であると分かれば、その者をイベント会場１に入場させるようにすることができる。正規の有効に使用可能な入場チケットまたは再入場チケットを有しないものであると分かれば、その者を取り締まることができる。
【０１０６】
また、一時退場ゲート３または退場ゲート５のアラーム装置１７がアラームを発報した場合は、同一の入場チケットまたは再入場チケット（但し、１つを除いては不正に複製されたもの）を用いて複数の者がイベント会場１に入場した場合である。この場合には、正規の入場チケットを有する者であるかどうかに関わらず、閉鎖状態のままの一時退場ゲート３または退場ゲート５で足止めされてイベント会場１の外に出ることができない。
【０１０７】
イベント会場１の係員は、そのような者がいた場合に身分証明書の提示などを求めて、正規に入場チケットを購入した者であるかどうかを確認する。正規に入場チケットを購入した者であると分かれば、その者をイベント会場１から退場させるようにすることができる。入場チケットを不正に複製した者であると分かれば、その者を取り締まることができる。
【０１０８】
以下、この実施の形態にかかる入退場管理システムを適用してイベント会場１への入退場を管理した場合の具体的な流れを説明する。第一に、入場ゲート２から同じ入場チケットで複数の者がイベント会場１に入場した場合を例として、第二に、入場ゲート２から正規に入場していない者が再入場ゲート４からイベント会場１に入場した場合を例として、それぞれ説明する。
【０１０９】
図１２は、入退場管理の第一の例を説明する図である。最初に、Ａが購入したのと同じ入場チケットを不正に複製したＢが入場ゲート２を通過しようとしたとする。この時点では、同一の入場チケットで１人しか入場ゲート２を通過しようとしていないので、不正な複製が行われていることが分からず、Ｂは入場ゲート２を通ってイベント会場１に入場できる（▲１▼）。
【０１１０】
次に、正規に入場チケットを購入したＡが入場ゲート２を通過しようとしたとする。この時点で、当該入場チケットが不正に複製されていることが分かるが、入場チケットを不正に複製したのは、ここで入場しようとしているＡか既に入場してしまったＢであるかは分からない。そこで、Ａも入場ゲート２を通ってイベント会場１に入場できることとなる（▲２▼）。ここで、入場チケットデータベース６５には、同じ入場チケットのレコードにＡの携帯電話機８の個体番号とＢの携帯電話機８の個体番号とが重ねて登録されている状態となる。
【０１１１】
次に、Ａが退場ゲート５を通ってイベント会場１から退場しようとしたとする。このとき、Ａの個体番号が登録されている入場チケットデータベース６５のレコードにはＢの個体番号も登録されているため、退場ゲート５の開閉ゲート１６が開放状態とならず、Ａは退場ゲート５を通ってイベント会場１から退場することができない（▲３▼）。Ｂが退場ゲート５を通って退場しようとしたときも同様である（▲４▼）。退場ゲートにおいて足止めされたＡ及びＢは、アラームの発報により係員の人的なチェックを受けることとなる。この人的チェックによって、正規に入場チケットを購入したことが分かるＡは、イベント会場１から退場できるが、Ｂは、入場チケットを不正に複製した者として捕捉されてしまう。なお、Ｂが一時退場ゲート３を通って退場しようとしたときも、同様にして捕捉される。
【０１１２】
図１３は、入退場管理の第二の例を説明する図である。正規に入場チケットを購入したＣ及びＤがイベント会場１内に入場している。ここで、Ｄが自己の携帯電話機８とＣの携帯電話機８とを持って一時退場ゲート４を通ってイベント会場１の外に退場したとする（▲１▼）。この後、Ｃの携帯電話機８とＤの携帯電話機８とに、再入場チケットが送信される。ここで、Ｄは、再入場チケットを受信したＤの携帯電話機８を、正規に入場チケットを購入していないＥに渡したとする。
【０１１３】
次に、Ｄは、自己の携帯電話機８に表示された再入場チケットを使って、再入場ゲート４を通ってイベント会場１に再入場する（▲２▼）。また、Ｅも、Ｃの携帯電話機８に表示された再入場チケットを使って、再入場ゲート４を通ってイベント会場に入場しようとしたとする。しかし、この時点では、Ｃの再入場チケットを使用しているＥは、入場チケットの正規の購入者でないことが分からない。そこで、Ｅも再入場ゲート４を通ってイベント会場１に入場できることとなる（▲３▼）。イベント会場１において、Ｅが本来の所有者であるＣに携帯電話機８を返すと、Ｅは、自己の携帯電話機８しか持っていないこととなる。
【０１１４】
次に、Ｃが退場ゲート５を通ってイベント会場１から退場しようとしたとする。このとき、Ｃの携帯電話機８の個体番号は入場チケットデータベース６５に登録されているので、退場ゲート５を通ってイベント会場１から退場することができる（▲４▼）。Ｄも同様にして、退場ゲート５を通ってイベント会場１から退場することができる（▲５▼）。
【０１１５】
次に、Ｅが退場ゲート５を通ってイベント会場１から退場しようとしたとする。Ｅは、自己の携帯電話機８しか持っていないので、この個体番号を携帯電話機８から退場ゲート５に送信させる。サーバ装置６では、退場ゲート５から送られてきたＥの携帯電話機８の個体番号が、入場チケットデータベース６５に登録されていないことが分かる。このため、Ｅは、開閉ゲート１６が閉鎖状態のままで退場ゲート５を通って退場することができない（▲６▼）。こうしてＥは、イベント会場１に不正に入場した者であると捕捉されてしまう。なお、Ｅが一時退場ゲート３を通って退場しようとしたときも、同様にして捕捉される。
【０１１６】
以上説明したように、この実施の形態にかかる入退場管理システムでは、入場ゲート２または再入場ゲート４からイベント会場１に入場する際に、携帯電話機８の表示装置８６に表示された入場チケットまたは再入場チケットが登録されているかどうかをチェックしているが、このときに携帯電話機８の個体番号を併せて入力させ、入場チケットまたは再入場チケットに対応付けて登録している。
【０１１７】
一時退場ゲート３または退場ゲート５において携帯電話機８の個体番号を入力させ、同じ入場チケットまたは再入場チケットを用いて入場した他の個体番号が登録されているかどうかをチェックしている。同じ入場チケットまたは再入場チケットについて複数の個体番号の登録があった場合、そのうちの１つを除いては不正に複製された入場チケットまたは再入場チケットということとなるので、開閉ゲート１６のアーム１６ａを閉鎖状態として、そのような者がイベント会場１の外に退場されてしまうのを防いでいる。
【０１１８】
これにより、不正に複製した入場チケットまたは再入場チケットを用いてイベント会場１に入場できた者がいても、そのような者は、一時退場ゲート３または退場ゲート５において全て捕捉されてしまう。このように不正にイベント会場１に入場した者に対しては、全て捕捉が可能であるという心理的な圧力を与えることができるので、結果として入場チケットまたは再入場チケットの不正な複製によってイベント会場１に不正に入場されるということを防ぐことができる。
【０１１９】
また、入場ゲート２及び再入場ゲート４においては、携帯電話機８の個体番号と入場チケットまたは再入場チケットの入力が必要となるが、一時退場ゲート３及び退場ゲート５においては、携帯電話機８の個体番号の入力だけでよい。入場チケットまたは再入場チケットは、利用者が確認できるようにするため可視化することが好ましく、表示装置８６に表示させてバーコードリーダ１５に読み取らせる必要があるので、その入力に比較的手間がかかる。一方、携帯電話機８の個体番号は、赤外線通信可能で、その際のキー入力装置８５の操作も単純なので、比較的簡易に行える。このため、携帯電話機８の個体番号の送信だけでよいイベント会場１からの退場に関しては、人の流れが一時退場ゲート３または退場ゲート５で詰まることはなく、円滑に行うことができる。
【０１２０】
さらに、この実施の形態にかかる入退場管理システムは、イベント会場１への一時退場や再入場のために専用で用いられる一時退場ゲート３及び再入場ゲート４を、入場ゲート２及び退場ゲート５とは別途設けている。イベント会場１に再入場するためには、入場チケットとは別の再入場チケットが必要となり、また、イベント会場１への再入場は、再入場チケットが発行されたとき（実質的にイベント会場１から一時退場したとき）から所定時間以内に行わなければならないようにしている。また、再入場チケットを発行するのは、イベント会場１から一時退場があったときであるため、再入場チケットが利用者の側で長期間管理されることがない。このため、再入場チケットを不正に複製するのは非常に困難であり、再入場を利用して不正にイベント会場１に入場されることを防止できる。
【０１２１】
本発明は、上記の実施の形態に限られず、種々の変形、応用が可能である。以下、本発明に適用可能な上記の実施の形態の変形態様について説明する。
【０１２２】
上記の実施の形態では、再入場ゲート４のバーコードリーダ１５に読み取らせる二次元バーコードは、一時退場ゲート３を通って退場することで発行される再入場チケットだけであった。これに対して、入場チケットと再入場チケットの両方を再入場ゲート４のバーコードリーダ１５に読み取らせて、再入場ゲート４からサーバ装置６に送信するものとしてもよい。サーバ装置６は、受信した入場チケット及び再入場チケットが、入場チケットデータベース６５及び再入場チケットデータベース６６における登録で対応付けられている場合にのみ、再入場ゲート４に開放許可通知メッセージを送信するものとしてもよい。これにより、再入場ゲート４を通ってイベント会場１に不正に入場されることを、より強固に防ぐことができる。
【０１２３】
上記の実施の形態では、入場ゲート２のバーコードリーダ１５に読み取らせる入場チケットの二次元バーコードは、図７のフローチャートに示した処理でオンライン販売され、携帯電話機８に送信されたものであった。この場合、入場チケットの二次元バーコードが長時間、携帯電話機８の利用者において管理されることとなるため、不正な複製がなされる可能性が非常に大きくなる。そこで、上記の実施の形態に次のような変形を加えることで、イベント会場１への入場の直前に、入場ゲート２の通過の際に必要となる入場チケットが購入者に送られるようにすることができる。
【０１２４】
図１４は、この変形例の入退場管理システムの構成を模式的に示す図である。図１４では、変形例に関わらない部分の記載を省略しており、システムとしては、図１に示した一時退場ゲート３、再入場ゲート４及び退場ゲート５も含んでいる。この変形例のシステムは、イベント会場１の入場口までの入場経路１００に設置され、通信線７を介してサーバ装置６と接続された入場前ゲート１０１をさらに備えている。入場前ゲート１０１の構成は、他のゲート２〜５の構成（図３）と同じである（但し、赤外線受信装置１４及びアラーム装置１７を備えていなくてもよい）。入場チケットの販売時の処理（図７）において、サーバ装置６のＣＰＵ６１は、本来の入場チケットに代えて仮入場チケットを発行し、携帯電話機８に送信する。
【０１２５】
この変形例のシステムでは、イベント会場１に入場しようとする者は、入場ゲート２よりも先に入場前ゲート１０１を通過して、本来の入場チケットの発行を受ける必要がある。仮入場チケットも、本来の入場チケットと同様にチケットＩＤと対応付けられてデータベースに記録されるが、仮入場チケットは、他人に譲渡することができ、その譲渡の履歴が記録される。
【０１２６】
図１５は、この変形例のシステムにおいてサーバ装置６がさらに有する仮入場チケットデータベース６７の構成を示す図である。仮入場チケットデータベース６７の各レコードは、図１５に示すように、イベントのチケット毎に固有のチケットＩＤと、二次元バーコードで構成される仮入場チケットの画像データと、１つ以上のアドレスを含んでいる。仮入場チケットが譲渡されていなければ、アドレスとして１つだけ登録されるが、後述するように仮入場チケットが譲渡されるたびに、登録されるアドレスが追加される。
【０１２７】
仮入場チケットは、携帯電話機８から購入の申し込みがある度に新たなものが発行されて、当該購入申し込みを行った携帯電話機８に送信される。このとき、仮入場チケットデータベース６７に新しいレコードが作成される。また、携帯電話機８における仮入場チケット（二次元バーコードの画像データ）の記憶領域は、ＲＡＭ８３に設けられるものとなる。
【０１２８】
図１６は、利用者が購入した仮入場チケットを他の者に譲渡するための処理を示すフローチャートである。まず、携帯電話機８の利用者がキー入力装置８５から所定の指示入力をすることで、通信装置８７から携帯電話網を含むネットワーク９を介してサーバ装置６に、仮入場チケットの移転の申し込み要求を送信させる（ステップＳ６０１）。サーバ装置６の第２通信装置６４が携帯電話機８からの移転申し込み要求を受信すると（ステップＳ６２１）、ＣＰＵ６１は、予め用意された所定の移転申し込みフォームを、第２通信装置６４から要求元の携帯電話機８に返送させる（ステップＳ６２２）。
【０１２９】
携帯電話機８の通信装置８７がサーバ装置６から送られた移転申し込みフォームを受信すると（ステップＳ６０２）、これを表示装置８６に表示させる（ステップＳ６０３）。そして、携帯電話機８の利用者は、表示された移転申し込みフォームに従ってキー入力装置８５を操作することによって、仮入場チケットを譲り受ける者のアドレスを入力する（ステップＳ６０４）。ＣＰＵ８１は、チケットＩＤまたは仮入場チケットを特定可能な情報と対応付けて、この移転先となるアドレスを通信装置８７からネットワーク９を介してサーバ装置６に送信させる（ステップＳ６０５）。
【０１３０】
サーバ装置６の第２通信装置６４が移転先となるアドレスを受信すると（ステップＳ６２３）、ＣＰＵ６１は、アドレスと共に受信したチケットＩＤまたは仮入場チケットを特定可能な情報に従って、受信したアドレスを仮入場チケットデータベース６７に登録する（ステップＳ６２４）。例えば、受信したアドレスを登録するレコードにアドレス１だけが登録されていた場合は、受信したアドレスがアドレス２となり、アドレス３まで登録されていた場合は、受信したアドレスがアドレス４となる。
【０１３１】
アドレスの登録が終了すると、ＣＰＵ６１は、新たなアドレスの登録をしたレコードに含まれる仮入場チケット（二次元バーコードの画像データ）を、当該登録したアドレスを送り先として第２通信装置６４からネットワーク９を介して送信させる（ステップＳ６２５）。こうして送信された仮入場チケットを他の携帯電話機８の通信装置８７が受信し（ステップＳ６４１）、これをＲＡＭ８３に記憶させる（ステップＳ６４２）。以上で仮入場チケットの譲渡が終了する。なお、こうしてＲＡＭ８３に記憶された仮入場チケットの二次元バーコードも、利用者がキー入力装置８５から所定の指示入力をすることで、表示装置８６に表示させることができる。
【０１３２】
なお、上記の実施の形態のように仮入場チケットを発行することなく、最初から入場チケットを発行する場合において、入場チケットデータベース６５に譲渡の履歴を記録できるようにして、図１６と同様の処理を行うことで、入場チケットを譲渡することも可能となる。
【０１３３】
図１７は、仮入場チケットから本来の入場チケットを発行させるための処理を示すフローチャートであり、この処理は、入場前ゲート１０１とサーバ装置６と携帯電話機８との協働によって行われる。
【０１３４】
まず、携帯電話機８の利用者の操作によって携帯電話機８の表示装置８６に表示された仮入場チケットの二次元バーコードを、入場前ゲート１０１のバーコードリーダ１５が読み取る（ステップＳ７０１）。入場前ゲート１０１のＣＰＵ１１は、これを通信装置１３から通信線７を介してサーバ装置６に送信させる（ステップＳ７０２）。次に、ＣＰＵ１１は、開閉ゲート１６にアーム１６ａを開放状態とさせ、仮入場チケットの入力を行った利用者を通過させる（ステップＳ７０３）。これにより、当該利用者が入場経路１００を通って入場ゲート２まで進めるようになる。これで、入場前ゲート１０１における処理は終了する。
【０１３５】
サーバ装置６では、ステップＳ２０３で入場ゲート２から送信されてきた仮入場チケットを第１通信装置６３が受信すると（ステップＳ７２１）、ＣＰＵ６１は、受信した仮入場チケットが入場チケットデータベース６５に登録されているかどうかを判定する（ステップＳ７２２）。受信した仮入場チケットが登録されていなければ、そのままサーバ装置６における処理を終了する。
【０１３６】
受信した仮入場チケットが登録されていた場合は、ＣＰＵ６１は、未使用の二次元バーコードからなる本来の入場チケットを発行する（ステップＳ７２３）。ここで発行される本来の入場チケットは、その形態の上で仮入場チケットとは何らの規則性もない。次に、ＣＰＵ６１は、発行した本来の入場チケットを、仮入場チケットと書き換えて、或いは仮入場チケットと対応付けて、入場チケットデータベース６５に登録する（ステップＳ７２４）。
【０１３７】
ＣＰＵ６１は、本来の入場チケットの二次元バーコードを、それに対応付けられて入場チケットデータベース６５に登録されているアドレスを宛先として、第２通信装置６４からネットワーク９を介して送信させる（ステップＳ７２５）。その送信タイミングは、利用者が入場前ゲート１０１を通過した後、入場ゲート２に達していないと考えられるタイミングが好ましい。携帯電話機８の通信装置８７が入場チケットの二次元バーコードを受信すると（ステップＳ７４１）、これをＲＡＭ８３に記憶させる（ステップＳ７４２）。以上で本来の入場チケットの発行が終了し、以後は本来の入場チケットを用いて上記の実施の形態と同じ処理を行えばよい。
【０１３８】
この変形例にかかる入退場管理システムでは、入場ゲート２を通過してイベント会場１に入場するために必要となる入場チケットは、仮入場チケットに基づいて直前に発行されるので、長期間利用者の側で管理されることがない。また、仮入場チケットに基づいて発行される入場チケットは、入場チケットデータベース６５に登録されたアドレスを宛先として送信されるため、不正に複製した仮入場チケットを入場前ゲート１０１に読み取らせても、その者の携帯電話機８に本来の入場チケットが届くことがない。このため、入場チケットが不正に複製されることがなくなり、イベント会場１への不正な入場を防ぐことができる。
【０１３９】
なお、仮入場チケットと入場チケットとを対応付けて入場チケットデータベース６５に登録するものとした場合には、入場ゲート２において、仮入場チケットと入場チケットの両方を読み取らせ、サーバ装置６に送信するものとすることができる。これらを受信したサーバ装置６のＣＰＵ６１は、受信した仮入場チケットと入場チケットとが、正しい対応付けで入場チケットデータベース６５に登録されている場合であって、かつ退場チェックフラグがセットされていない場合にのみ、開放許可通知メッセージを入場ゲート２に送信するものとすることができる。仮入場チケットと入場チケットの両方を正しく複製することはほとんど不可能であり、イベント会場１への不正な入場をより強固に防ぐことができる。
【０１４０】
また、仮入場チケットに基づいて本来の入場チケットが発行される場合には、入場チケットについても、再入場チケットと同じように発行からの有効期限を設けることとしてもよい。つまり、入場チケットの発行日時を入場チケットデータベース６５に登録しておき、サーバ装置６のＣＰＵ６１は、入場ゲート２から入場チケットが送られてきたときに、その入場チケットの発行日時から所定時間以上経過していないかを調べる。入場チケットの発行日時から所定時間以上経過していれば、不正入場通知メッセージを入場ゲート２に送信するものとすればよい。これにより、入場チケットが利用者の側で管理される期間を極短時間に限ることができ、入場チケットが不正に複製されることを防ぐことができる。
【０１４１】
上記の実施の形態では、入場チケットまたは再入場チケット毎にイベント会場１に入場した者が有する携帯電話機８の個体番号を、サーバ装置６内の入場チケットデータベース６５または再入場チケットデータベース６６に登録しておくものとしていた。そして、サーバ装置６のＣＰＵ６１は、一時退場ゲート３または退場ゲート５から受信した個体番号を入場チケットデータベース６５または再入場チケットデータベース６６に登録された個体番号と比較して、個体番号の重複登録がなければ開放許可通知メッセージを、重複登録があれば不正入場通知メッセージを、第１通信装置６３から一時退場ゲート３または退場ゲート５に送信させるものとしていた。
【０１４２】
これに対して、同じ入場チケットまたは再入場チケットで複数の個体番号によるイベント会場１への入場または再入場があった場合、このような個体番号を、サーバ装置６から一時退場ゲート３及び退場ゲート５に予め送っておくものとしてもよい。一時退場ゲート３及び退場ゲート５では、サーバ装置６から送られてきた個体番号を記憶装置１２に記憶しておく。ＣＰＵ１１は、赤外線受信装置１４が赤外線信号で個体番号を受信したとき、当該受信した個体番号が記憶装置１２に記憶されているかどうかをチェックする。
【０１４３】
そして、ＣＰＵ１１は、個体番号が記憶されていなければ、開閉ゲート１６のアーム１６ａを開放状態として、その者が一時退場ゲート３または退場ゲート５を通過できるようにし、個体番号が記憶されていれば、アラーム装置１７にアラームを発報させることができる。この場合、イベント会場１からの退場に関わる処理を一時退場ゲート３または退場ゲート５内のみでより迅速に行うことができるので、イベント会場１から人をより円滑に退場させることが可能となる。
【０１４４】
上記の実施の形態では、サーバ装置６のＣＰＵ６１は、再入場ゲート４から携帯電話機８の個体番号及び再入場チケットを受信したときに、当該再入場チケットが再入場チケットデータベース６６に登録されているかどうか、当該再入場チケットの退場チェックフラグがセットされていないかどうか、当該再入場チケットの発行から所定時間が経過していないかを判定していた。そして、この判定結果に基づいて、不正入場通知メッセージを再入場ゲート４に送信して、イベント会場１への入場ができなくなるものとしていた。また、このときに、再入場チケットデータベース６６の再入場チケットのレコードに、受信した個体番号を登録していた。
【０１４５】
ところで、イベント会場１から一時退場するときにおける再入場チケットの発行は、携帯電話機８の個体番号に基づいて行っている。そこで、再入場チケットの発行時において、それに対応付けて携帯電話機８の個体番号も再入場チケットデータベース６６に登録しておくものとし、サーバ装置６のＣＰＵ６１は、再入場ゲート４から個体番号と再入場チケットとを受信したときに、再入場チケットデータベース６６を参照して、その対応付けの正しさをチェックするものとしてもよい。
【０１４６】
上記の実施の形態では、サーバ装置６が発行した入場チケットまたは再入場チケットの二次元バーコードは、そのまま携帯電話機８に送られるものとしていた。これに対して、入場チケットまたは再入場チケットが不正に複製されるのを防ぐため、二次元バーコードを暗号化したり、二次元バーコードに電子透かしを埋め込んだりしてもよい。再入場チケットの二次元バーコードの暗号化／復号化には、携帯電話機８の個体番号を暗号鍵／復号鍵として用いることもできる。
【０１４７】
また、電子透かしとしては、誤り訂正が可能な範囲で意図的に入場チケットまたは再入場チケットの二次元バーコードを本来の二次元バーコードの内容とは変えたものとすることができる。このような電子透かしとして、二次元バーコードコード上に、二次元のコードで誤り補正が可能な幾何学的な模様を意図的に付け加えたものを適用することができる。ここで、幾何学的な模様として会社のロゴやサービスの名称等を用いることもできる。これにより、入場チケットまたは再入場チケットとしての二次元バーコードがどこから発行されたかを視覚的に判別することができる。
【０１４８】
上記の実施の形態では、再入場チケットの不正な複製によってイベント会場１に入場されることを防ぐため、再入場チケットの発行日時を再入場チケットデータベース６６に登録しておき、ここから一定期間が経過すると、再入場ゲート４を通過してイベント会場１に再入場できないものとしていた。これに対して、二次元バーコードにＪａｖａ（商標）言語などで記述されたプログラムを埋め込んでおき、このプログラムの作用により携帯電話機８に受信されてから所定時間経過することで二次元バーコードが自壊するようなものとしてもよい。このプログラムは、定期的にサーバ装置６に時間を確認する機能を有するものとすることができる。このプログラムは、また、二次元バーコードの利用期限が近くなると、警告音を鳴らしたり、バーコードの色を変えたりすることによってユーザに通知する機能や、二次元バーコードの利用期限が過ぎると、自動的に画像を差し替えたり、文字情報を表示して二次元バーコードを消滅させる機能を有するものとすることができる。
【０１４９】
再入場チケットの発行から一定時間を経過することによってイベント会場１に再入場できなくする手法も上記のものに限られず、携帯電話機８に配信する二次元バーコードに期限情報を含ませてもよい。バーコードリーダ１５は、再入場チケットの二次バーコードの読み取り時にこの期限情報も併せて読み取り、サーバ装置６に期限情報を送信するものとすることができる。サーバ装置６のＣＰＵ６１は、再入場ゲート４から送られてきた期限情報に基づいて、二次元バーコードによる再入場チケットの有効性を判断するものとすることができる。
【０１５０】
上記の実施の形態では、入場チケット及び再入場チケットは、二階調の二次元マトリクスパターンを有する二次元バーコードによって構成されるものであったが、多階調のパターンを有するバーコードや、三次元のパターンを有するバーコードで構成されるものであってもよい。この三次元バーコードは、例えばポリゴンで形成された立方体の各面に二次元のバーコードを表示させたものであり、Ｊａｖａ等のアプリケーションによってポリゴンが回転される。サーバ装置６のＣＰＵ６１は、ポリゴンの回転によって立方体の各面に表示されたコードを全て認識することができる。三次元バーコードは、面数の増加によってより大きな情報量を含むことができる。また、例えばブルートゥース技術などの適用により、視認不可能な情報であっても、上記した入場チケットまたは再入場チケットとして適用することができる。
【０１５１】
また、入場チケットまたは再入場チケットの二次元バーコードの他に、各ゲート２〜５に携帯電話機８から入力される情報は、個体番号メモリ８４に格納された携帯電話機８の個体番号であった。携帯電話機８またはその利用者毎に固有の情報であれば、個体番号に代えて適用することができる。個体番号またはこれに変わる情報を視認可能な情報として、バーコードリーダ１５に読み取らせることもできる。
【０１５２】
上記の実施の形態では、入場チケットまたは再入場チケットの二次元バーコードは、携帯電話機８のＲＡＭ８３に記憶され、表示装置８６に表示されるものとしていたが、サーバ装置６との通信機能を備えた他の通信端末を携帯電話機８の代わりに適用することもできる。ブルートゥース技術などの適用により視認不可能な情報が二次元バーコードの代わりに用いられる場合には、表示装置を有しない無線通信端末を適用することができる。もっとも、無線通信端末として普及率の高い携帯電話機を適用することで、本発明のシステムを多くの者が利用できるようになる。
【０１５３】
また、個体番号のような固有の情報と、入場チケットまたは再入場チケットとして適用される情報とを記憶可能であれば、情報処理機能を有しない記録媒体（ＩＣカードなど）を携帯電話機８の代わりに適用することもできる。このような記録媒体を携帯電話機８の代わりに適用する場合は、サーバ装置６が発行した入場チケットまたは再入場チケットとして適用される情報を、専用の書き込み装置を介して書き込むものとすればよい。
【０１５４】
さらに、携帯電話機８（またはこれに代わって適用される通信端末または記録媒体）が各ゲート２〜５において発信される所定の電波に自動的に応答して、個体番号などの固有の情報を送信するものとすることができる。この場合、一時退場ゲート３または退場ゲート５を通過してイベント会場１から退場しようとする者が特別な操作を行う必要がなくなり、イベント会場１から人をさらに円滑に退場させることができる。また、入場ゲート２または再入場ゲート４を通過してイベント会場１に入場しようとする場合にも、その者が行わなければならない操作が簡略化される。
【０１５５】
上記の実施の形態では、サーバ装置６のＣＰＵ６１は、どの利用者の携帯電話機８に送る場合でも二次元バーコード（入場チケット、再入場チケット、または仮入場チケット）を同じように生成していた。しかしながら、携帯電話機８の表示装置８６は、機種によって大きさもドット数もまちまちである。
【０１５６】
携帯電話機８の機種に応じて最も効果的な二次元バーコード（入場チケット、再入場チケットまたは仮入場チケット）を生成するために、サーバ装置６は、図１８に示す機種データベース６８をさらに備えることができる。機種データベース６８は、利用者ＩＤと携帯電話機８の機種に関する情報（少なくとも表示装置８６の大きさ及びドット数を含む）を対応付けて記憶している。サーバ装置６のＣＰＵ６１は、二次元バーコード（入場チケット、再入場チケット、または仮入場チケット）を発行する際に、機種データベース６８を参照して、送付先となる携帯電話機８の機種に応じたバーコードを発行することができる。
【０１５７】
サーバ装置６から携帯電話機８に送信される二次元バーコード（入場チケット、再入場チケットまたは仮入場チケット）は、圧縮されたものであってもよい。サーバ装置６のＣＰＵ６１は、機種に関係なくバーコード（入場チケット、再入場チケットまたは仮入場チケット）を生成してから、送付先となる携帯電話機８の機種に応じてバーコードを圧縮することができる。携帯電話機８の表示装置８６には、圧縮されたバーコードが表示されて、バーコードリーダ１５によって読み取られる。
【０１５８】
以上のようにすることで、サーバ装置６は、携帯電話機８が新型のもので表示装置８６の表示ドット数が多ければ細かなパターンのバーコードを、携帯電話機８が旧型のもので表示ドット数が少なくても表示装置８６に表示可能なバーコードを生成することができる。これにより、表示装置８６の機能を最大限に生かして二次元バーコード（入場チケット、再入場チケットまたは仮入場チケット）を表示させることができる。利用者が携帯電話機８の機種を頻繁に変えても、新しい機種に適合した二次元バーコードを生成することができるので、技術的進歩が早い携帯電話機８への適用には特に有効である。
【０１５９】
上記の実施の形態では、イベント会場１への不正な入場を防ぐため、あるいは不正な入場をした者を捕捉するため、図１に示す構成の入退場管理システムを構成していた。このシステム構成を適用して、イベント会場１内にいる者の人数をカウントすることができる。すなわち、サーバ装置６は、入場ゲート２または再入場ゲート４から人がイベント会場１に入場した旨の情報を受信することでカウントアップし、一時退場ゲート３または退場ゲート５から人がイベント会場１から退場した旨の情報を受信することでカウントダウンすることができる。
【０１６０】
サーバ装置６は、カウントしたイベント会場１内にいる者の人数が所定数以上になった場合は、正規の入場チケットが読み取られたかどうかに関わらず、入場ゲート２に開放許可通知メッセージを送信しないで、人を新たにイベント会場１に入場させないようにすることができる。このようにイベント会場１への入場を自動で規制することが可能になり、この入場の自動規制は、例えば展示会や博覧会などのイベント会場において特に有効となる。
【０１６１】
また、各ゲート２〜５において、赤外線受信装置１４が携帯電話機８の個体番号を受信し、サーバ装置６に送信するものとしているが、サーバ装置６では、個体番号毎に各ゲート２〜５の通過時間をデータベースに蓄積していくようにしてもよい。データベースに蓄積された個体番号毎のゲート２〜５の通過時間を分析することで、例えば、１人の者がイベント会場１内に滞在する時間の傾向などを知ることができるようになる。
【０１６２】
上記の実施の形態では、イベント会場１には、入場口、一時退場口、再入場口及び退場口が設けられており、それぞれに入場ゲート２、一時退場ゲート３、再入場ゲート４及び退場ゲート５が設置されていた。そして、入退場管理システムによって入退場の管理と一時退場−再入場の管理との両方を行うものとしていた。これに対して、入場口及び退場口だけが設けられたイベント会場において、入退場の管理のみを行うものとしてもよい。
【０１６３】
また、入場口及び退場口だけが設けられたイベント会場では、入場口に設けられたゲートが上記した入場ゲート２及び再入場ゲート４を兼ねるものとし、退場口に設けられたゲートが上記した一時退場ゲート３及び退場ゲート５を兼ねるものとしてもよい。この場合において、入場口側のゲートは、利用者が最初の入場か再入場かを指定するものとし、退場口側のゲートでは、一時退場か退場かを指定するものとすることができる。あるいは、上記の入退場管理システムにおける一時退場−再入場の管理だけを行うシステムを構築することも可能である。
【０１６４】
上記の実施の形態では、サーバ装置６が発行した二次元バーコード（入場チケット、再入場チケットまたは仮入場チケット）は、携帯電話機８に送信すると共に、データベース６５〜６７に保存していたしていた。そして、携帯電話機８の表示装置８６に表示された二次元バーコードが入場ゲート２、再入場ゲート４または入場前ゲート１０１のバーコードリーダ１５で読み取られると、これをデータベース６５〜６７に保存していた二次元バーコードと照合し、同じものがあったときに、開放許可通知メッセージに従って、入場ゲート２、再入場ゲート４または入場前ゲート１０１の開閉ゲート１６を開放状態とさせるものとしていた。
【０１６５】
しかしながら、特に入場ゲート２においては、イベント会場１に入場しようとする者が短時間に多数集中する場合がある。このため、二次元バーコードのような画像パターンを１つ１つ照合しているとサーバ装置６に一時期に過大な負荷がかかって、サーバ装置６がダウンしてしまうことも考えられる。また、サーバ装置６の中に二次元バーコード（入場チケット、再入場チケットまたは仮入場チケット）を残しておくと、ハッキングによりサーバ装置６から二次元バーコードが不正に盗まれ、不正に盗まれたバーコードを使ってイベント会場１に不正に入場されてしまうことも発生しうる。
【０１６６】
そこで、二次元バーコード（入場チケット、再入場チケットまたは仮入場チケット）の発行及び認証のために、次のような技術を適用することもできる。図１９は、二次元バーコードで構成される入場チケットの発行及び認証のために適用可能な変形例を説明する図である。図１９では、入場チケットの二次元バーコードを例として説明するが、再入場チケット及び仮入場チケットの二次元バーコードに対しても、全く同じ方法を適用することができる（但し、互いに別々に用意する必要がある）。
【０１６７】
サーバ装置６の記憶装置６２には、図１９に示す第１テーブル１１１及び第２テーブル１１２とが設けられる。入場チケットデータベース６５には、上記の実施の形態のものと異なり、入場チケットの二次元バーコードが保存されない（携帯電話機８に送信した後は、サーバ装置６及び他のいずれの装置にも保存されない）。入場チケットデータベース６５に他に保存されている情報は、上記の場合と同じである。また、サーバ装置６においては、ＣＰＵ６１は、所定の方法で、入場チケットの二次元バーコードとしての画像パターンを、そのパターンが異なれば互いに数値の重複が生じないように数値化する機能を有している。
【０１６８】
第１テーブル１１１は、入場チケットに対応した固有の数値を除数Ａで除算した剰余ａに対応したテーブル内の位置に、当該入場チケットのチケットＩＤを格納している。第２テーブル１１２は、入場チケットに対応した固有の数値を除数Ｂで除算した剰余ｂに対応したテーブル内の位置に、当該入場チケットのチケットＩＤを格納している。第１テーブル１１１及び第２テーブル１１２の各記憶位置には、２つ以上のチケットＩＤを格納することが可能である。
【０１６９】
ここで、除数Ａと除数Ｂの最小公倍数は、入場チケットに対応した固有の数値が採りうる最大値と最小値との差よりも大きいという関係がある。この関係を満たす場合、互いに異なる２つの入場チケットに対応した数値をそれぞれ除数Ａで除算した剰余ａが一致する場合には、当該２つの入場チケットに対応した数値をそれぞれ除数Ｂで除算した剰余ｂが一致することはあり得なくなる。すなわち、剰余ａと剰余ｂとの組み合わせは、個別の入場チケットに１対１で対応付けられる。なお、除数Ａと除数Ｂとは、互いに素であることが好ましい。
【０１７０】
次に、図１９を参照して、入場チケットを新たに発行する場合と、発行されて携帯電話機８に送信された入場チケットの二次元バーコードに基づいて、入場チケットの認証を行う方法について説明する。
【０１７１】
ＣＰＵ６１は、携帯電話機８の利用者からの要求に基づいて入場チケットを新たに発行しようとする場合、まず、入場チケットの二次元バーコードの画像パターンをランダムに生成する。これを入場チケット（１）とする。次に、入場チケト（１）の二次元バーコードの画像パターンを所定の方法で数値化した値Ｘ１を求める。ＣＰＵ６１は、この数値Ｘを除数Ａで除算した剰余ａ１と、除数Ｂで除算した剰余ｂ１とを求める。
【０１７２】
ＣＰＵ６１は、第１テーブル１１１の剰余ａ１に対応した記憶位置と、第２テーブル１１２の剰余ｂ１に対応した記憶位置とから、それぞれに登録されているチケットＩＤを取り出す。そして、第１テーブル１１１から取り出したチケットＩＤと第２テーブル１１２から取り出したチケットＩＤとに一致するものがあるかどうかを判定する。ここでチケットＩＤが一致していた場合には、入場チケット（１）の二次元バーコードの画像パターンは、既に発行されて他の携帯電話機８に送信されている入場チケットの二次元バーコードの画像パターンと同じということになる。従って、これを新たに発行して要求元の携帯電話機８に送信することはできない。
【０１７３】
そこで、ＣＰＵ６１は、入場チケットの二次元バーコードの画像パターンを再びランダムに生成する。これを入場チケット（２）とする。次に、入場チケット（１）の二次元バーコードの画像パターンを所定の方法で数値化した値Ｘ２を求める。ＣＰＵ６１は、この数値Ｘを除数Ａで除算した剰余ａ２と、除数Ｂで除算した剰余ｂ２とを求める。
【０１７４】
ＣＰＵ６１は、第１テーブル１１１の剰余ａ２に対応した記憶位置と、第２テーブル１１２の剰余ｂ２に対応した記憶位置とから、それぞれに登録されているチケットＩＤを取り出す。そして、第１テーブル１１１から取り出したチケットＩＤと第２テーブル１１２から取り出したチケットＩＤとに一致するものがあるかどうかを判定する。一致するものがあれば、さらに別の二次元バーコードの画像パターンを生成する。一方、一致するチケットＩＤが取り出されなければ、入場チケット（２）の二次元バーコードの画像パターンは、未だ発行されていないものということになる。
【０１７５】
そこで、ＣＰＵ６１は、第１テーブル１１１の剰余ａ２に対応した記憶位置と、第２テーブル１１２の剰余ｂ２に対応した記憶位置とに、ここで新たに発行する入場チケットのチケットＩＤを登録する。また、入場チケットデータベース６５にも、登録したチケットＩＤのレコードを生成し、要求元の携帯電話機８のアドレスを登録する。
【０１７６】
こうして第１テーブル１１１及び第２テーブル１１２へのチケットＩＤの登録、並びに入場チケットデータベース６５への新たなレコードの生成が終了すると、先ほどランダムに生成した入場チケット（２）の二次元バーコードの画像パターンを、要求元の携帯電話機８に送信する。入場チケット（２）の二次元バーコードの画像パターンは、携帯電話機８への送信が終了すると破棄する。以上で入場チケットの発行のための処理が終了する。
【０１７７】
次に、入場チケットの認証について説明する。携帯電話機８の表示装置８６に表示され、入場ゲート２のバーコードリーダ１５で読み取られた入場チケット（前述の入場チケット（１）とする）の二次元バーコードの画像パターンは、通信線７を介してサーバ装置６に送られる。ＣＰＵ６１は、受信した入場チケット（１）の二次元バーコードの画像パターンを所定の方法で数値化した値Ｘ１を求める。さらにＣＰＵ６１は、この数値Ｘを除数Ａで除算した剰余ａ１と、除数Ｂで除算した剰余ｂ１とを求める。
【０１７８】
ＣＰＵ６１は、第１テーブル１１１の剰余ａ１に対応した記憶位置と、第２テーブル１１２の剰余ｂ１に対応した記憶位置とから、それぞれに登録されているチケットＩＤを取り出す。そして、第１テーブル１１１から取り出したチケットＩＤと第２テーブル１１２から取り出したチケットＩＤとに一致するものがあるかどうかを判定する。ここでは一致するものがあるので、入場ゲート２から二次元バーコードの画像パターンが送られてきた入場チケット（１）は、正規に発行されたものとして認証し、開放許可通知を入場ゲート６に送る。ここでは、もちろん携帯電話機８の個体番号の入場チケットデータベース６５への登録も行われる。また、上記した入場チケット（２）についても、同様に正規に発行されたものとして認証される。
【０１７９】
次に、携帯電話機８の表示装置８６に表示され、入場ゲート２のバーコードリーダ１５で読み取られた入場チケット（正規に発行された二次元バーコードとしての画像パターンを有しない入場チケット（３）とする）の画像パターンが、通信線７を介してサーバ装置６に送られてきたものとする。ＣＰＵ６１は、ＣＰＵ６１は、受信した入場チケット（３）の二次元バーコードの画像パターンを所定の方法で数値化した値Ｘ３を求める。さらにＣＰＵ６１は、この数値Ｘを除数Ａで除算した剰余ａ３と、除数Ｂで除算した剰余ｂ３とを求める。
【０１８０】
ＣＰＵ６１は、第１テーブル１１１の剰余ａ３に対応した記憶位置と、第２テーブル１１２の剰余ｂ３に対応した記憶位置とから、それぞれに登録されているチケットＩＤを取り出す。そして、第１テーブル１１１から取り出したチケットＩＤと第２テーブル１１２から取り出したチケットＩＤとに一致するものがあるかどうかを判定する。しかし、ここでは取り出したチケットＩＤの一致はあり得ない。そこで、ＣＰＵ６１は、入場ゲート２から二次元バーコードの画像パターンが送られてきた入場チケット（３）は、正規に発行されたものでないとして、不正入場通知メッセージを入場ゲート２に送るものとする。
【０１８１】
以上説明した変形例によれば、二次元バーコードの画像パターンを照合することなく、二次元バーコードで構成される入場チケットの正当性を認証することができる。このため、短時間に多数の者がイベント会場１に入場しようとする場合でも、サーバ装置６に過大な負荷がかかることがない。また、携帯電話機８以外には、サーバ装置６及び他のいずれの装置にも入場チケットの二次元バーコードの画像パターンが保存されないので、不正に盗み出されることもなく、不正な入場者を防ぐことができる。
【０１８２】
また、入場チケットの二次元バーコードが採りうる画像パターンの種類と、実際に発行される二次元バーコードの数との関係によっては、退場ゲート５または一時退場ゲート３で不正入場者とされた者は、その者自体が正規に入場チケットを取得したとしても、不正に他人にコピーさせている可能性が非常に高い。このため、不正行為の取り締まりのために非常に大きな効果がある。
【０１８３】
上記の実施の形態では、サーバ装置６及び各ゲート２〜５のＣＰＵ６１、１１がそれぞれ実行するプログラム（図８〜図１１のフローチャートに示すものなど）は、それぞれ記憶装置６２、１２に予め記憶されているものとして説明した。しかしながら、これらのプログラムの全部または一部を、ＣＤ−ＲＯＭやＤＶＤ−ＲＯＭなどのコンピュータ読み取り可能な記録媒体に格納して、ハードウェアとは別に配布するものとしてもよい。また、これらのプログラムの全部または一部をインターネット上のＷｅｂサーバ装置が有する固定ディスク装置に格納しておき、サーバ装置６或いは各ゲート２〜５からの要求に従って、インターネットなどのネットワークを通じて配信するものとしてもよい。
【０１８４】
【発明の効果】
以上説明したように、本発明によれば、特定の場所への不正な入場を防ぐことができる。また、特定の場所からの退場に関して、人の流れを妨げることがない。
【図面の簡単な説明】
【図１】本発明の実施の形態にかかる入退場管理システムの構成を模式的に示す図である。
【図２】図１の携帯電話機の構成を示すブロック図である。
【図３】図１の入場ゲート、一時退場ゲート、再入場ゲート、或いは退場ゲートの構成を示すブロック図である。
【図４】図１のサーバ装置の構成を示すブロック図である。
【図５】図４の入場チケットデータベースの構成を示す図である。
【図６】図４の再入場チケットデータベースの構成を示す図である。
【図７】入場チケットの販売のための処理を示すフローチャートである。
【図８】イベント会場への入場の管理のための処理を示すフローチャートである。
【図９】イベント会場からの一時退場の管理のための処理を示すフローチャートである。
【図１０】イベント会場への再入場の管理のための処理を示すフローチャートである。
【図１１】イベント会場からの退場の管理のための処理を示すフローチャートである。
【図１２】本発明の実施の形態にかかる入退場管理システムによる入退場管理の第一の例を説明する図である。
【図１３】本発明の実施の形態にかかる入退場管理システムによる入退場管理の第二の例を説明する図である。
【図１４】入退場管理システムの変形例の構成を模式的に示す図である。
【図１５】変形例の入退場管理システムに適用される仮入場チケットデータベースの構成を示す図である。
【図１６】変形例に入退場管理システムにおいて、仮入場チケットを譲渡するための処理を示すフローチャートである。
【図１７】変形例の入退場管理システムにおいて、仮入場チケットから入場チケットを発行させるための処理を示すフローチャートである。
【図１８】実施の形態の変形例において、サーバ装置が有する機種データベースを示す図である。
【図１９】二次元バーコード（入場チケット、再入場チケットまたは仮入場チケット）の発行及び認証のために適用可能な変形例を説明する図である。
【符号の説明】
１  イベント会場
２  入場ゲート
３  一時退場ゲート
４  再入場ゲート
５  退場ゲート
６  サーバ装置
７  通信線
８  携帯電話機
９  ネットワーク
１１  ＣＰＵ
１２  記憶装置
１３  通信装置
１４  赤外線受信装置
１５  バーコードリーダ
１６  開閉ゲート
６１  ＣＰＵ
６２  記憶装置
６３  第１通信装置
６４  第２通信装置
６５  入場チケットデータベース
６６  再入場チケットデータベース
６７  仮入場チケットデータベース
８１  ＣＰＵ
８２  ＲＯＭ
８３  ＲＡＭ
８４  個体番号メモリ
８５  キー入力装置
８６  表示装置
８７  通信装置
８８  赤外線送信装置
１００  入場経路
１０１  入場前ゲート
１１１  第１テーブル
１１２  第２テーブル
【図１】
2005275436.tif 000003
【図２】
2005275436.tif 000004
【図３】
2005275436.tif 000005
【図４】
2005275436.tif 000006
【図５】
2005275436.tif 000007
【図６】
2005275436.tif 000008
【図７】
2005275436.tif 000009
【図８】
2005275436.tif 000010
【図９】
2005275436.tif 000011
【図１０】
2005275436.tif 000012
【図１１】
2005275436.tif 000013
【図１２】
2005275436.tif 000014
【図１３】
2005275436.tif 000015
【図１４】
2005275436.tif 000016
【図１５】
2005275436.tif 000017
【図１６】
2005275436.tif 000018
【図１７】
2005275436.tif 000019
【図１８】
2005275436.tif 000020
【図１９】
2005275436.tif 000021